(57)【要約】  本開示は、ワイヤレスデバイスとの通信をサポートするためのリソース割り当ての方法を提供することに関する。上記方法は、ワイヤレス通信ネットワークのネットワークエレメントにおいて実行される。上記方法は、同期的なネットワーク機能と非同期的なネットワーク機能とを区別すること（２７１０）を含む。上記同期的なネットワーク機能及び上記非同期的なネットワーク機能は、上記ワイヤレスデバイスへの通信サービスの提供に関連付けられる。上記同期的なネットワーク機能は、上記ワイヤレスデバイスとの通信のために使用される無線リンクのタイミングに厳密に依存する処理タイミングに関する要件を有する。上記非同期的なネットワーク機能は、上記無線リンクのタイミングに厳密には依存しない処理タイミングに関する要件を有する。上記方法は、第１のネットワーク機能が同期的か又は非同期的かに基づいて、上記第１のネットワーク機能のインスタンス化のために、上記ワイヤレス通信ネットワークのリソースを割り当てること（２７２０）、をも含む。【選択図】図２７ａ
2018504030.tif 000002
【特許請求の範囲】
【請求項１】
ワイヤレスデバイスとの通信をサポートするためのリソース割り当ての方法であって、前記方法は、ワイヤレス通信ネットワークのネットワークエレメント（２８００）において実行され、
前記ワイヤレスデバイスへの通信サービスの提供に関連付けられる、前記ワイヤレスデバイスとの通信のために使用される無線リンクのタイミングに厳密に依存する処理タイミングに関する要件を有する同期的なネットワーク機能と、前記無線リンクの前記タイミングに厳密には依存しない処理タイミングに関する要件を有する非同期的なネットワーク機能とを区別すること（２７１０）と、
第１のネットワーク機能が同期的か又は非同期的かに基づいて、前記第１のネットワーク機能のインスタンス化のために、前記ワイヤレス通信ネットワークのリソースを割り当てること（２７２０）と、
を含む方法。
【請求項２】
前記第１のネットワーク機能の特性、前記第１のネットワーク機能とさらなるネットワーク機能との間の関係性又は依存関係、前記ワイヤレス通信ネットワークのエンティティ内の利用可能なリソース、前記ワイヤレス通信ネットワークのエンティティ間の送信リソース、及び、前記ワイヤレスデバイス、のうちの少なくとも１つに関連する情報を取得すること（２７１５）、
をさらに含み、
前記リソースは、取得される前記情報にも基づいて割り当てられる（２７２０）、
請求項１に記載の方法。
【請求項３】
前記第１のネットワーク機能の前記インスタンス化のために前記リソースを割り当てること（２７２０）は、前記第１のネットワーク機能が同期的である場合に、
前記無線リンク上での送信及び受信についてのレイテンシが閾値を下回ることになる第１のリソースを割り当てることによって、同期的なネットワーク機能についての処理タイミングに関する前記要件を充足すること、
を含む、請求項１〜２のいずれかに記載の方法。
【請求項４】
前記第１のネットワーク機能の前記インスタンス化のために前記リソースを割り当てること（２７２０）は、前記第１のネットワーク機能が非同期的である場合に、
取得される前記情報に基づいて、前記無線リンク上での送信及び受信について前記第１のリソースよりも大きいレイテンシをもたらし得る第２のリソースを割り当てること、
を含む、請求項２及び請求項３に記載の方法。
【請求項５】
割り当てられる前記リソースは、処理リソース、メモリリソース、及びネットワークインタフェースに関連するリソースのうちの少なくとも１つを含む、請求項１〜４のいずれかに記載の方法。
【請求項６】
第２のネットワーク機能が同期的か又は非同期的かに基づいて、前記第２のネットワーク機能のインスタンス化のためにもリソースが割り当てられる（２７２０）、請求項１〜５のいずれかに記載の方法。
【請求項７】
前記第１のネットワーク機能及び前記第２のネットワーク機能は、それぞれ異なるプロトコルレイヤに対応する、請求項６に記載の方法。
【請求項８】
前記第１のネットワーク機能及び前記第２のネットワーク機能は、共に、同期的機能グループへグループ化される同期的なネットワーク機能であり、前記無線リンク上での送信及び受信についてのレイテンシが閾値を下回ることになるリソースが前記同期的機能グループのために割り当てられる（２７２０）、請求項６〜７のいずれかに記載の方法。
【請求項９】
前記第１のネットワーク機能の前記インスタンス化に関連する情報を送信すること（２７３０）、をさらに含み、
前記情報は、割り当てられる前記リソースに関連付けられる前記ワイヤレス通信ネットワークの少なくとも１つのネットワークエンティティへ送信される、
請求項１〜８のいずれかに記載の方法。
【請求項１０】
リソースの前記割り当て（２７２０）は、ネットワークイベントによりトリガされる、請求項１〜９のいずれかに記載の方法。
【請求項１１】
デュアルコネクティビティ動作のために第１の無線リンク及び第２の無線リンクが前記ワイヤレスデバイスとの通信のために使用され、
前記方法は、前記第１のネットワーク機能が非同期的であり且つ前記第１の無線リンク及び前記第２の無線リンクの双方に関連付けられる場合に、
前記第１のネットワーク機能の動作が前記第１の無線リンクに関連付けられ且つ前記第１のネットワーク機能の動作が前記第２の無線リンクに関連付けられる際に少なくとも部分的に同じリソースを利用することができるように、前記第１のネットワーク機能の前記インスタンス化のためにリソースを割り当てること（２７２０）、
を含む、請求項１〜１０のいずれかに記載の方法。
【請求項１２】
ワイヤレスデバイスとの通信をサポートするためにリソース割り当るように構成される、ワイヤレス通信ネットワークのためのネットワークエレメント（２８００）であって、
前記ワイヤレスデバイスへの通信サービスの提供に関連付けられる、前記ワイヤレスデバイスとの通信のために使用される無線リンクのタイミングに厳密に依存する処理タイミングに関する要件を有する同期的なネットワーク機能と、前記無線リンクの前記タイミングに厳密には依存しない処理タイミングに関する要件を有する非同期的なネットワーク機能とを区別し、
第１のネットワーク機能が同期的か又は非同期的かに基づいて、前記第１のネットワーク機能のインスタンス化のために、前記ワイヤレス通信ネットワークのリソースを割り当てる、
ようにさらに構成されるネットワークエレメント。
【請求項１３】
前記第１のネットワーク機能の特性、前記第１のネットワーク機能とさらなるネットワーク機能との間の関係性又は依存関係、前記ワイヤレス通信ネットワークのエンティティ内の利用可能なリソース、前記ワイヤレス通信ネットワークのエンティティ間の送信リソース、及び、前記ワイヤレスデバイス、のうちの少なくとも１つに関連する情報を取得し、
取得される前記情報にも基づいて、第１のネットワーク機能の前記インスタンス化のために前記リソースを割り当てる、
ようにさらに構成される、請求項１２に記載のネットワークエレメント（２８００）。
【請求項１４】
前記第１のネットワーク機能が同期的である場合に、前記無線リンク上での送信及び受信についてのレイテンシが閾値を下回ることになる第１のリソースを割り当てることによって、同期的なネットワーク機能についての処理タイミングに関する前記要件を充足すること、
により、前記第１のネットワーク機能の前記インスタンス化のために前記リソースを割り当てる、ようにさらに構成される、請求項１２〜１３のいずれかに記載のネットワークエレメント（２８００）。
【請求項１５】
前記第１のネットワーク機能が非同期的である場合に、取得される前記情報に基づいて、前記無線リンク上での送信及び受信について前記第１のリソースよりも大きいレイテンシをもたらし得る第２のリソースを割り当てること、
により、前記第１のネットワーク機能の前記インスタンス化のために前記リソースを割り当てる、ようにさらに構成される、請求項１３及び請求項１４に記載のネットワークエレメント（２８００）。
【請求項１６】
割り当てられる前記リソースは、処理リソース、メモリリソース、及びネットワークインタフェースに関連するリソースのうちの少なくとも１つを含む、請求項１２〜１５のいずれかに記載のネットワークエレメント（２８００）。
【請求項１７】
第２のネットワーク機能が同期的か又は非同期的かに基づいて、前記第２のネットワーク機能のインスタンス化のためにもリソースを割り当てる、ように構成される、請求項１２〜１６のいずれかに記載のネットワークエレメント（２８００）。
【請求項１８】
前記第１のネットワーク機能及び前記第２のネットワーク機能は、それぞれ異なるプロトコルレイヤに対応する、請求項１７に記載のネットワークエレメント（２８００）。
【請求項１９】
前記第１のネットワーク機能及び前記第２のネットワーク機能は、共に、同期的機能グループへグループ化される同期的なネットワーク機能であり、前記ネットワークエレメントは、前記無線リンク上での送信及び受信についてのレイテンシが閾値を下回ることになるリソースを、前記同期的機能グループのために割り当てる、ようにさらに構成される、請求項１７〜１８のいずれかに記載のネットワークエレメント（２８００）。
【請求項２０】
前記第１のネットワーク機能の前記インスタンス化に関連する情報を送信する、ようにさらに構成され、
前記情報は、割り当てられる前記リソースに関連付けられる前記ワイヤレス通信ネットワークの少なくとも１つのネットワークエンティティへ送信される、
請求項１２〜１９のいずれかに記載のネットワークエレメント（２８００）。
【請求項２１】
ネットワークイベントによりトリガされて、前記リソースを割り当てる、ように構成される、請求項１２〜２０のいずれかに記載のネットワークエレメント（２８００）。
【請求項２２】
デュアルコネクティビティ動作のために第１の無線リンク及び第２の無線リンクが前記ワイヤレスデバイスとの通信のために使用され、前記第１のネットワーク機能は非同期的であって前記第１の無線リンク及び前記第２の無線リンクの双方に関連付けられ、前記ネットワークエレメントは、
前記第１のネットワーク機能の動作が前記第１の無線リンクに関連付けられ且つ前記第１のネットワーク機能の動作が前記第２の無線リンクに関連付けられる際に少なくとも部分的に同じリソースを利用することができるように、前記第１のネットワーク機能の前記インスタンス化のためにリソースを割り当てる、
ように構成される、請求項１２〜２１のいずれかに記載のネットワークエレメント（２８００）。
【請求項２３】
ネットワークエレメント（２８００）上で稼働する場合に、前記ネットワークエレメントに、請求項１〜１１のいずれかに記載の方法を実行させるコンピュータ読取可能なコード、を含むコンピュータプログラム（２８５０）。
【請求項２４】
コンピュータ読取可能な媒体（２８５２）と、前記コンピュータ読取可能な媒体上に記憶された請求項２３に記載のコンピュータプログラム（２８５０）と、を含むコンピュータプログラムプロダクト（２８５１）。
【発明の詳細な説明】
【技術分野】
【０００１】
本発明は、一般に、無線アクセスネットワーク内の機能性に関し、具体的には、ワイヤレスデバイスとの通信をサポートするためのリソース割り当てに関する。
【背景技術】
【０００２】
拡張パケットシステム（ＥＰＳ）は、発展型の３ＧＰＰ（3rd  Generation  Partnership  Project）パケット交換ドメインである。ＥＰＳは、ＥＰＣ（Evolved  Packet  Core）及びＥ−ＵＴＲＡＮ（Evolved  Universal  Terrestrial  Radio  Access  Network）を含む。図１は、非ローミングのコンテキストにおけるＥＰＣアーキテクチャの概略を示しており、当該アーキテクチャは、パケットデータネットワーク（ＰＤＮ）ゲートウェイ（ＰＧＷ）、サービングゲートウェイ（ＳＧＷ）、ポリシー及び課金ルール機能（ＰＣＲＦ）、モビリティ管理エンティティ（ＭＭＥ）、並びにユーザ機器（ＵＥ）とも呼ばれるワイヤレスデバイスを含む。無線アクセスであるＥ−ＵＴＲＡＮは、１つ以上のｅＮｏｄｅＢ（ｅＮＢ）からなる。
【０００３】
図２は、Ｅ−ＵＴＲＡＮアーキテクチャの全体を示しており、ＵＥへ向けてのＥ−ＵＴＲＡのユーザプレーン及び制御プレーンのプロトコル終端を提供する、複数のｅＮＢを含む。ユーザプレーンの制御終端は、ＰＤＣＰ（Packet  Data  Convergence  Protocol）、ＲＬＣ（Radio  Link  Control）、ＭＡＣ（Medium  Access  Control）及びＰＨＹ（Physical  Layer）を含む。制御プレーンの制御終端は、列挙したユーザプレーンの制御終端に加えて、ＲＲＣ（Radio  Resource  Control）を含む。ｅＮＢは、Ｘ２インタフェースの手段によって互いに相互接続される。また、ｅＮＢは、Ｓ１インタフェースの手段によってＥＰＣへ、より具体的にはＳ１−ＭＭＥインタフェースの手段によってＭＭＥへ、及びＳ１−Ｕインタフェースの手段によってＳＧＷへ接続される。
【０００４】
ＥＰＣの制御プレーン及びユーザプレーンのアーキテクチャの主な部分が図３及び図４にそれぞれ示されている。
【０００５】
［ＬＴＥ（Long  Term  Evolution）の概要］
ＬＴＥは、ダウンリンク（ＤＬ）において直交周波数分割多重化（ＯＦＤＭ）を、アップリンク（ＵＬ）において離散フーリエ変換（ＤＦＴ）−拡散ＯＦＤＭを用いる。よって、基本的なＬＴＥのＤＬ物理リソースを図５に例示したような時間−周波数グリッドとして把握することができ、各リソースエレメントが１つのＯＦＤＭシンボルインターバル中の１本のＯＦＤＭサブキャリアに相当する。
【０００６】
時間ドメインにおいて、ＬＴＥのＤＬ送信は、１０ｍｓの無線フレームへと組織化され、各無線フレームは長さＴｆｒａｍｅ＝１ｍｓのサイズの等しい１０個のサブフレームからなる（図６参照）。さらに、ＬＴＥにおけるリソースの割り当ては、典型的にはリソースブロック（ＲＢ）の観点で記述され、ＲＢは、時間ドメインでは１つのスロット（０．５ｍｓ）に相当し、周波数ドメインでは１２本の隣接するサブキャリアに相当する。時間方向における隣り合う２つのＲＢのペア（１．０ｍｓ）は、ＲＢペアとして知られる。ＲＢは、周波数ドメインではシステム帯域幅の一端からゼロで開始される形で付番される。ＬＴＥでは、仮想ＲＢ（ＶＲＢ）及び物理ＲＢ（ＰＲＢ）という考え方が取り入れられている。ＵＥへの実際のリソース割り当ては、ＶＲＢペアの観点でなされる。２つのタイプのリソース割り当てが存在し、それは局所型（localized）及び分散型（distributed）である。局所型のリソース割り当てでは、ＶＲＢペアがＰＲＢペアへ直接的にマッピングされ、よって２つの連続する局所的なＶＲＢは周波数ドメインにおいても連続するＰＲＢとして配置される。他方、分散型のＶＲＢは、周波数ドメインにおいて連続するＰＲＢにはマッピングされず、それにより、そうした分散型のＶＲＢを用いて送信されるデータチャネルについて周波数ダイバーシティが提供される。
【０００７】
ＤＬ送信は動的にスケジューリングされ、即ち、各サブフレームにおいて、基地局は、データの送信先の端末、及びその時点のＤＬサブフレーム内のどのＲＢ上でデータが送信されるか、に関する制御情報を送信する。この制御シグナリングは、典型的には、各サブフレーム内の最初の１、２、３又は４つのＯＦＤＭシンボルにおいて送信され、数値ｎ＝１、２、３又は４は制御フォーマットインジケータ（ＣＦＩ）として知られる。ＤＬサブフレームは、受信機にとって既知であって例えば制御情報のコヒーレントな復調のために使用される共通リファレンスシンボル（ＣＲＳ）をも含む。ＣＦＩ＝３でのＤＬシステムが図７に例示されている。
【０００８】
［ＬＴＥ制御及びユーザプレーンアーキテクチャ］
ｅＮＢ側の無線インタフェースに焦点を当てた従来の制御及びユーザプレーンプロトコルアーキテクチャが図８ａ及び図８ｂに示されている。制御及びユーザプレーンは、次のプロトコルレイヤ及び主たる機能性からなる：
【０００９】
−無線リソース制御（ＲＲＣ）（制御プレーンのみ）
・ＮＡＳ（Non-Access  stratum）及びＡＳ（Access  stratum）の双方についてのシステム情報のブロードキャスト
・ページング
・ＲＲＣ接続ハンドリング
・ＵＥについての一時識別子の割り当て
・ＲＲＣ接続のためのシグナリング無線ベアラの構成
・無線ベアラのハンドリング
・ＱｏＳ管理機能
・鍵管理を含むセキュリティ機能
・以下を含むモビリティ機能：
−ＵＥのメジャメントレポーティング及びレポーティングの制御
−ハンドオーバ
−ＵＥセル選択及び再選択、並びにセル選択及び再選択の制御
・ＵＥとの間のＮＡＳダイレクトメッセージ転送
【００１０】
−パケットデータコンバージェンスプロトコル（ＰＤＣＰ）
・ＵＥについて無線ベアラごとに１つのＰＤＣＰエンティティが存在する。ＰＤＣＰは、制御プレーン（ＲＲＣ）及びユーザプレーンの双方のために使用される
・暗号化／復号及び完全性保護を含む、制御プレーンの主要機能群
・暗号化／復号、ロバストヘッダ圧縮（ＲＯＨＣ）を用いたヘッダ圧縮及び逆圧縮、並びにインシーケンスデリバリ、冗長検出及び再送（主にハンドオーバ中に使用される）を含む、ユーザプレーンの主要機能群
【００１１】
−無線リンク制御（ＲＬＣ）
・ＲＬＣレイヤはＰＤＣＰレイヤのためのサービスを提供し、ＵＥについて無線ベアラごとに１つのＲＬＣエンティティが存在する
・セグメント化若しくは連結、（自動再送要求（ＡＲＱ）を用いる）再送ハンドリング、冗長検出、及び上位レイヤへのインシーケンスデリバリを含む、制御及びユーザプレーン双方のための主要機能群
【００１２】
−メディアアクセス制御（ＭＡＣ）
・ＭＡＣは、論理チャネルの形式でＲＬＣレイヤへサービスを提供し、それら論理チャネルとトランスポートチャネルとの間のマッピングを行う
・主要機能群：ＵＬ及びＤＬスケジューリング、スケジューリング情報レポーティング、ハイブリッドＡＲＱ再送、並びに、キャリアアグリゲーションについての複数のコンポーネントキャリアをまたいだデータの多重化／逆多重化
【００１３】
−物理レイヤ（ＰＨＹ）
・ＰＨＹは、トランスポートチャネルの形式でＭＡＣレイヤへサービスを提供し、トランスポートチャネルの物理チャネルへのマッピングをハンドリングする
・ｅＮＢにより行われるＤＬについての主要機能群（ＯＦＤＭ）：
−ＤＬリファレンス信号の送信
−詳細ステップ群（“上から下”へ）：ＣＲＣ挿入、符号ブロックセグメント化、及び符号ブロック別ＣＲＣ挿入；チャネル符号化（ターボ符号化）；レートマッチング及び物理レイヤハイブリッドＡＲＱ処理；ビットレベルスクランブリング；データ変調（ＱＰＳＫ、１６ＱＡＭ又は６４ＱＡＭ）；アンテナマッピング及びマルチアンテナ処理；結果的にＩＱデータ又はデジタル化無線周波数（ＲＦ）データ）と呼ばれることのある時間ドメインデータに帰結する、逆高速フーリエ変換（ＩＦＦＴ）及びサイクリックプレフィクス（ＣＰ）挿入を含むＯＦＤＭ処理；デジタル−アナログ変換；電力増幅器；並びに、アンテナへの送出
・ｅＮＢにより行われるＵＬについての主要機能群（ＤＦＴ−拡散ＯＦＤＭ）：
−ランダムアクセスサポート
−詳細ステップ群（“上から下”へ）：ＣＲＣ除去、符号ブロック逆セグメント化、チャネル復号、レートマッチング及び物理レイヤハイブリッドＡＲＱ処理；ビットレベル逆スクランブリング；データ復調；逆離散フーリエ変換（ＩＤＦＴ）；アンテナマッピング及びマルチアンテナ処理；高速フーリエ変換（ＦＦＴ）及びＣＰ除去を含む、ＯＦＤＭ処理；アナログ−デジタル変換；電力増幅器；並びに、アンテナからの受信
【００１４】
説明したｅＮＢの機能性を、様々な手法で配備することができる。１つの例では、全てのプロトコルレイヤ及び関連する機能性が、アンテナを含む同一の物理ノード内に配備される。これの１つの例は、ピコ又はフェムトｅＮｏｄｅＢである。他の配備の例は、いわゆるメイン−リモート分離（split）である。このケースでは、ｅＮｏｄｅＢは、メインユニット及びリモートユニットへ分割され、それらはそれぞれデジタルユニット（ＤＵ）及びリモート無線ユニット（ＲＲＵ）とも呼ばれる。メインユニットあるいはＤＵは、ＰＨＹレイヤのより下層の部分を除いて全てのプロトコルレイヤを含み、ＰＨＹレイヤのより下層の部分は、代わりにリモートユニットあるいはＲＲＵ内に配置される。ＰＨＹレイヤ内の分離は、時間ドメインデータ（ＩＱデータ、即ち、ＩＦＦＴ／ＦＦＴの後／前及びＣＰ挿入／除去の後／前）のレベルでなされる。ＩＱデータは、メインユニットからいわゆる共通パブリック無線インタフェース（ＣＰＲＩ）上でリモートユニットへと転送される。ＣＰＲＩは、高速かつ低レイテンシのデータインタフェースである。そして、リモートユニットは、必要とされるデジタル−アナログ変換を実行してアナログＲＦデータを生成し、アナログＲＦデータを電力増幅し、及びアナログＲＦデータをアンテナへと転送する。また別の配備オプションでは、ＲＲＵ及びアンテナが共設され、いわゆるＡＩＲ（Antenna  Integrated  Radio）が生成される。
【００１５】
［キャリアアグリゲーション］
ＬＴＥリリース１０仕様は、２０ＭＨｚまでのコンポーネントキャリア（ＣＣ）帯域幅をサポートして標準化されており、２０ＭＨｚはＬＴＥリリース８の最大のキャリア帯域幅である。２０ＭＨｚよりも広いＬＴＥリリース１０の動作が可能であり、ＬＴＥリリース１０端末への複数のＬＴＥ  ＣＣとして現れる。２０ＭＨｚよりも広い帯域幅を獲得するための単純な手法は、キャリアアグリゲーション（ＣＡ）の手段による。ＣＡは、ＬＴＥリリース１０端末が複数のＣＣを受信可能であることを示唆し、ここでＣＣはリリース８キャリアと同じ構造を有するか又は少なくとも有することができる。図９にＣＡが例示されている。リリース１０標準は、統合される５つまでのＣＣをサポートしており、各ＣＣは、ＲＦ仕様において６つの帯域幅のうちの１つを有するように制限され、具体的には、それらは１．４、３、５、１０、１５及び２０ＭＨｚにそれぞれ相当する６、１５、２５、５０、７５又は１００ＲＢである。統合されるＣＣの数及び個別のＣＣの帯域幅は、ＵＬ及びＤＬについて異なってもよい。対称構成はＤＬ及びＵＬにおけるＣＣ数が同じであるケースを指し、一方で、非対称構成はＤＬ及びＵＬにおいてＣＣ数が異なるケースを指す。ネットワークにおいて構成されるＣＣ数は端末から見えるＣＣ数とは異なり得ることに留意することが重要である。例えば、ネットワークがＵＬのＣＣ数と同じＤＬのＣＣ数を提供しているとしても、端末はＵＬのＣＣ数よりも多くのＤＬのＣＣ数をサポートし得る。
【００１６】
ＣＣは、セル又はサービングセルとしても言及される。より具体的には、ＬＴＥネットワークにおいて、端末により統合されるセルは、プライマリサービングセル（ＰＣｅｌｌ）及びセカンダリサービングセル（ＳＣｅｌｌ）と称される。サービングセルとの用語は、ＰＣｅｌｌ及び１つ以上のＳＣｅｌｌの双方を含む。全てのＵＥは、１つのＰＣｅｌｌを有する。どのセルがＵＥのＰＣｅｌｌなのかは、端末固有であって「より重要である」と見なされ、即ち、重大な（vital）制御シグナリング及び他の重要なシグナリングが典型的にはＰＣｅｌｌを介してハンドリングされる。ＵＬの制御シグナリングは、常にＵＥのＰＣｅｌｌ上で送信される。ＰＣｅｌｌとして構成されるコンポーネントキャリアはプライマリＣＣであり、一方で他の全てのＣＣはＳＣｅｌｌである。ＵＥは、ＰＣｅｌｌ及びＳＣｅｌｌの双方の上でデータを送受信することができる。スケジューリングコマンドなどの制御シグナリングについては、ＰＣｅｌｌ上でのみこれを送信し又は受信するように構成することができる。但し、コマンドはＳＣｅｌｌについても有効であり、ＰＣｅｌｌ及びＳＣｅｌｌの双方の上でコマンドを送受信するように構成することができる。動作モードに関わらず、ＵＥは、プライマリコンポーネントキャリア（ＰＣＣ）上のシステム情報パラメータを取得するために、ブロードキャストチャネルを読み取ることを要するのみであろう。セカンダリコンポーネントキャリア（ＳＣＣ）に関するシステム情報は、専用ＲＣＣメッセージにおいてＵＥへ提供され得る。イニシャルアクセスの期間中に、ＬＴＥリリース１０端末は、ＬＴＥリリース８端末と同様に振舞う。但し、ネットワークへの成功裏の接続の後に、リリース１０端末は、−自身のケイパビリティ及びネットワークに依存して−ＵＬ及びＤＬにおいて追加的なサービングセルと共に構成されるかもしれない。構成はＲＲＣに基づく。重いシグナリング及びむしろＲＲＣシグナリングの低速なスピードに起因して、端末は、複数のサービングセルの全てが直近で使用されていないとしても、当該複数のサービングセルと共に構成され得ることが想起される。要するに、ＬＴＥ  ＣＡは、複数のキャリアの効率的な使用をサポートし、データを全てのキャリア上で送受信することを可能とする。ＵＥが全ての時間で全てのキャリアスケジューリングチャネルを聞くことを必要とすることを回避するように、クロスキャリアスケジューリングがサポートされる。解決策は、キャリア間のタイトな時間同期に依拠する。
【００１７】
［ＬＴＥリリース１２  デュアルコネクティビティ］
デュアルコネクティビティは、ＵＥが複数のキャリアへ接続して同時に複数のキャリア上でデータを送受信することをサポートするために、３ＧＰＰにより現在標準化されつつある解決策である。以下は、３ＧＰＰ標準に基づくデュアルコネクティビティ（ＤＣ）の概略的な説明である。Ｅ−ＵＴＲＡＮがＤＣ動作をサポートし、それにより、複数の受信機及び送信機を伴うRRC_CONNECTEDモードにあるＵＥが、Ｘ２上の非理想的なバックホールを介して相互接続される２つのｅＮＢ内に位置する２つの別個のスケジューラにより提供される無線リソースを利用するように構成される。あるＵＥのためのＤＣに関与するｅＮＢは、２つの異なる役割を前提とし得る。ｅＮＢは、マスタｅＮＢ（ＭｅＮＢ）又はセカンダリｅＮＢ（ＳｅＮＢ）のいずれかとして動作し得る。ＤＣにおいて、ＵＥは１つのＭｅＮＢ及び１つのＳｅＮＢへ接続する。特定のベアラが用いる無線プロトコルアーキテクチャは、ベアラがどのようにセットアップされるかに依存する。マスタセルグループ（ＭＣＧ）ベアラ、セカンダリセルグループ（ＳＣＧ）ベアラ、及びスプリットベアラという、３つの手段が存在する。これら３つの手段が図１０に描かれている。信号無線ベアラ（ＳＲＢ）は、常にＭＣＧのベアラであって、従って、ＭｅＮＢにより提供される無線リソースを用いるのみである。なお、ＳｅＮＢにより提供される無線リソースを用いるように構成される少なくとも１つのベアラを有するものとしてＤＣを説明することもできる。
【００１８】
ＤＣのためのｅＮＢ間制御プレーンシグナリングは、Ｘ２インタフェースシグナリングの手段により行われる。ＭＭＥへ向けての制御プレーンシグナリングは、Ｓ１インタフェースシグナリングの手段により行われる。ＭｅＮＢとＭＭＥとの間には、ＵＥごとに１つのＳ１−ＭＭＥ接続のみが存在する。各ｅＮＢは、独立的にＵＥをハンドリングできるものとされ、即ち、いくつかのＵＥにはＰＣｅｌｌを提供しつつ、他にはＳＣＧのためにＳＣｅｌｌを提供し得る。あるＵＥのためのデュアルコネクティビティに関与する各ｅＮＢは、自身の無線リソースを所有しており、そのセルの無線リソースの割り当てについて主たる責任を有する。ＭｅＮＢとＳｅＮＢとの間の協調は、Ｘ２インタフェースシグナリングの手段により行われる。図１１は、あるＵＥのためのデュアルコネクティビティに関与するｅＮＢの制御プレーン（Ｃ−プレーン）接続性を示している。ＭｅＮＢは、Ｓ１−ＭＭＥを介してＭＭＥへＣ−プレーンで接続され、ＭｅＮＢ及びＳｅＮＢはＸ２−Ｃを介して相互接続される。図１２は、あるＵＥのためのＤＣに関与するｅＮＢのユーザプレーン（Ｕ−プレーン）接続性を示している。Ｕ−プレーン接続性は、構成されるベアラオプションに依存する。ＭＣＧベアラについては、ＭｅＮＢは、Ｓ１−Ｕを介してＳ−ＧＷへＵ−プレーンで接続され、ＳｅＮＢは、ユーザプレーンデータのトランスポートには関与しない。スプリットベアラについては、ＭｅＮＢは、Ｓ１−Ｕを介してＳ−ＧＷへＵ−プレーンで接続され、加えて、ＭｅＮＢ及びＳｅＮＢはＸ２−Ｕを介して相互接続される。ＳＣＧベアラについては、ＳｅＮＢは、Ｓ１−Ｕを介してＳ−ＧＷと直接的に接続される。
【００１９】
［無線アクセスネットワーク（Ｅ−ＵＴＲＡＮ）機能性の集中化］
現行の無線アクセスネットワーク（ＲＡＮ）アーキテクチャのあり得る将来の進化が議論されてきた。マクロサイトベースのトポロジーにおける開始点から、いくつかの例を与えると、低電力セルの導入、異なる無線基地局サイト間のトラスポートネットワークの進化、無線基地局ハードウェアの進化、及び処理パワーについての増加したニーズが、新たなチャンレンジ及び機会を生み出してきた。ＲＡＮアーキテクチャについて、時々で異なる方向へ向かう、いくつかの戦略が提案されている。協調の利得、ハードウェアプーリング利得、エネルギー節約利得、及びバックホール／フロントホールネットワークの進化といったいくつかの戦略は、より集中的な配備に重きをおいて働いている。同時に、例えばミッションクリティカルなマシンタイプ通信（ＭＴＣ）アプリケーションなど、いくつかの５Ｇユースケースについての非常に低レイテンシな要件といった他の戦略は、非集中化へ向けて働いている。フロントホール及びバックホールとの用語は、基地局に関連して使用される。伝統的なフロントホールについての定義は、ベースバンドメインユニット及びリモートユニットの間のＣＰＲＩベースのファイバリンクである。バックホールは、Ｓ１／Ｘ２インタフェースについて使用されるトランスポートネットワークをいう。
【００２０】
バックホール／フロントホール技術における近年の進化は、ベースバンドを集中化する可能性をまさに切り開いており、それはしばしばＣ−ＲＡＮとして言及される。Ｃ−ＲＡＮは、様々な形で解釈され得る用語である。ある者にとっては、それは多数のサイトからのベースバンドが中央サイトへ共設されるという“ベースバンドホテル”のような解決策を意味し、但し、緊密な接続及びユニット間のデータの高速な交換は存在しない。Ｃ−ＲＡＮの最も一般的な解釈は、恐らくは、ベースバンド間の少なくともある種の協調が存在するという“集中型ＲＡＮ”であろう。潜在的に魅力のある解決策は、マクロ基地局及びそれによりカバーされる低電力ノードに基づく、より小さい集中型ＲＡＮである。そうした構成では、マクロと低電力ノードとの間の緊密な協調が、しばしば相当な利得を与えることができる。“協調ＲＡＮ”との用語は、集中化の協調利得に焦点を当てた、Ｃ−ＲＡＮのよく使用される解釈である。Ｃ−ＲＡＮの他のより未来的な解釈は、無線ネットワークの機能性が汎用プロセッサなどの汎用的なハードウェア上でサポートされ、及び恐らくは仮想マシンとしてサポートされるという、“クラウド”ベースの解決策及び“仮想化された”ＲＡＮ解決策を含む。
【００２１】
集中化された配備は、例えば、メンテナンス、アップグレード、及びサイトのより少ない必要性という、見込まれる扱い易さ、並びに協調利得の獲得などの、１つ又は複数の力によって駆動され得る。一般的な思い違いは、集中化によって、大規模なプーリング利得及び対応するハードウェアの節減がなされるべきであるという点である。プーリング利得は、最初のプールされるセル数に対しては大きいが、その後急速に減少する。共設され相互接続された多数のサイトからのベースバンドを有する１つの重要な利点は、それにより可能となる緊密な協調である。それらの例は、ＵＬ協調マルチポイント（ＣｏＭＰ）、並びに、１つのセルへの複数のセクタ及び／又はキャリアの結合である。それら特徴の利得は、例えばベースバンドの共設無しに標準的なインタフェース（Ｘ２）上で行うことのできる拡張セル間干渉協調（ｅＩＣＩＣ）といったより緩慢な協調方式の利得との関係では、時に顕著になり得る。
【００２２】
協調利得の視点からの魅力的なＣ−ＲＡＮ配備は、より大規模なマクロサイトの周囲のＣ−ＲＡＮの構築であり、通常は、いくつかの周波数帯、及びマクロサイトによりカバーされる複数の低電力無線機と共に構築され、それらは高速な相互接続線上でマクロへと緊密に統合される。より大きな利得は、スタジアム及びモール向けなどの配備シナリオにおいて見られるものと期待される。いずれのＣ−ＲＡＮ配備にとっても重要な検討事項は、フロントホール、即ち集中化されたベースバンド部分と無線機との間の接続上でのトランスポートであり、それは“ファーストマイル（first  mile）”として言及されることがある。フロントホールのコストは、むしろ市場によって大きく変動し、その恩恵に対してバランスを取る必要がある。
【００２３】
［問題］
様々なフォーラムでのワイヤレス産業における進行中の議論は、様々なハードウェアプラットフォームへ及び恐らくはネットワーク内の様々なサイトへ配備するために５Ｇ無線アクセスネットワークの機能アーキテクチャは十分柔軟に設計されるべきであるという方向へ向かって動いているようである。この道筋において、ｉ）協調機能（例えば、干渉キャンセル、ＣｏＭＰ）からの潜在的な利得、ｉｉ）ハードウェアリソースのより効率的な使用、ｉｉｉ）ベースバンドハードウェアの集中化による潜在的なエネルギー節約、ｉｖ）メンテナンスアップグレード及びサイトの必要性がより少ないこと、といった集中化のいくつかの恩恵が達成可能なはずである。他方で、５Ｇ  ＲＡＮについてそうした柔軟な機能アーキテクチャを可能にする解決策は未だ提案されていないことが認識される。
【００２４】
ＬＴＥ、ＵＭＴＳ（Universal  Mobile  Telephony  System）及びＧＳＭ（Global  System  for  Mobile  communication）などの現行のＲＡＮの機能アーキテクチャは、主として固有の配備シナリオに向けて設計されてきた。従って、機能アーキテクチャはむしろ固定的である。より分散的なＲＡＮを有するＬＴＥにおいて、プロトコルスタックの様々な機能は、同じ物理ノード内で、即ちｅＮｏｄｅＢ内で稼働する複数のインスタンスを有するものと想定され、それにより、それら機能の間の強力なタイミング上の及び共時的な依存関係は、異なる配備についての潜在的な制約としては感知されない。現在配備されているＲＡＮにおけるより固定的な機能アーキテクチャについての他の理由は、それらＲＡＮが相当程度まで類似した要件を伴ってサービスを提供するように設計されてきたことである。１つの例として、ＬＴＥは、ＵＭＴＳと比較して高いデータレート及びより低いレイテンシでモバイルブロードバンドサービスをサポートするように設計された。しかしながら、５Ｇ  ＲＡＮはエクストリームモバイルブロードバンド、超高信頼性（Ultra-reliable）、並びにミッションクリティカルかつ大規模なＭＴＣといった、非常に広範なサービスに対処することが現在の目論見の一部でもある。これら新たな想定の下では、一層多様な端末又はワイヤレスデバイスの種類が、多様性に富む様々なトラフィック及びシグナリングの種類を生み出し、ヘテロジーニアス環境において様々なモビリティ想定を有することに起因して、スケーラビリティがより複雑な課題となる。
【００２５】
最適化された設計によって複数のエアインタフェースの派生を伴う５Ｇ  ＲＡＮがもたらされることも想定されている。さらに、意欲的な５Ｇ要件、周波数帯域のダイバーシティ及びレガシーシステムとのインターワーキングの利点が、今日存在するインターワーキングを超えた、複数の５Ｇエアインタフェースとレガシーインタフェースとの間のより緊密な統合を要し得ることがここで認識される。そうしたより緊密な統合は、３ＧＰＰにおいて検討され及び標準化されるマルチリンク統合の概念を、ＤＣなどの複数のエアインタフェースへと拡張することを狙っている。それにより、例えば様々な周波数帯域及び時間フレーム構造といった各エアインタフェースの特異性を想定して、全く新しい課題が想起され得る。また、統合機能は、典型的には、無線アクセス技術（ＲＡＴ）に固有に設計される。一例を与えると、現行のＣＡ及びＤＣは、“イントラＬＴＥ”の機能性、即ち、例えば互いに異なるＬＴＥキャリアの間で使用可能な機能性のみを提供する。一方、既存のマルチＲＡＴ機能は、統合機能というよりもむしろ、様々なレベルで設計されたインターワーキング機能であり、それは例えば、共通のサブスクリプション、共通のコアネットワーク、又は、負荷分散若しくはカバレッジベースのハンドオーバの目的のためのＲＡＮノード間インタフェースを介する何らかの協調を可能にする機能などである。
【００２６】
よって、既存のＲＡＮの機能アーキテクチャはむしろ固定的であること、及びそれらを設計する現行のアプローチが５Ｇ  ＲＡＮにより対処されるべき要件にとって固有のスケーラビリティの課題を解決するために適していないことがここで認識される。
【発明の概要】
【発明が解決しようとする課題】
【００２７】
目的は、上で言及した問題の１つ以上を軽減し又は少なくとも低減することであり得る。独立項に係る方法及びネットワークエレメントにより、並びに従属項に係る実施形態により、この目的及び他の目的が達成される。
【課題を解決するための手段】
【００２８】
第１の観点によれば、ワイヤレスデバイスとの通信をサポートするためのリソース割り当ての方法が提供される。上記方法は、ワイヤレス通信ネットワークのネットワークエレメントにおいて実行される。上記方法は、同期的なネットワーク機能と非同期的なネットワーク機能とを区別することを含む。同期的なネットワーク機能及び非同期的なネットワーク機能は、上記ワイヤレスデバイスへの通信サービスの提供に関連付けられる。同期的なネットワーク機能は、上記ワイヤレスデバイスとの通信のために使用される無線リンクのタイミングに厳密に依存する処理タイミングに関する要件を有する。非同期的なネットワーク機能は、上記無線リンクの上記タイミングに厳密には依存しない処理タイミングに関する要件を有する。上記方法は、第１のネットワーク機能が同期的か又は非同期的かに基づいて、上記第１のネットワーク機能のインスタンス化のために、上記ワイヤレス通信ネットワークのリソースを割り当てること、をも含む。
【００２９】
第２の観点によれば、ワイヤレス通信ネットワークのためのネットワークエレメントが提供される。上記ネットワークエレメントは、ワイヤレスデバイスとの通信をサポートするためにリソース割り当るように構成される。上記ネットワークエレメントは、さらに、同期的なネットワーク機能と非同期的なネットワーク機能とを区別する、ように構成される。同期的なネットワーク機能及び非同期的なネットワーク機能は、上記ワイヤレスデバイスへの通信サービスの提供に関連付けられる。同期的なネットワーク機能は、上記ワイヤレスデバイスとの通信のために使用される無線リンクのタイミングに厳密に依存する処理タイミングに関する要件を有する。非同期的なネットワーク機能は、上記無線リンクの上記タイミングに厳密には依存しない処理タイミングに関する要件を有する。上記ネットワークエレメントは、第１のネットワーク機能が同期的か又は非同期的かに基づいて、上記第１のネットワーク機能のインスタンス化のために、上記ワイヤレス通信ネットワークのリソースを割り当てる、ようにも構成される。
【００３０】
さらなる観点によれば、上記目的は、上の観点に対応するコンピュータプログラム及びコンピュータプログラムプロダクトにより達成される。
【発明の効果】
【００３１】
同期的なネットワーク機能と非同期的なネットワーク機能との区別に基づく本発明の実施形態に係るリソース割り当ての１つの利点は、同期的機能の処理タイミングに関する要件を依然として満たしながら、非同期的機能について柔軟な機能配備が可能となることである。
【図面の簡単な説明】
【００３２】
ここで開示される実施形態の、それらの具体的な特徴及び利点を含む多様な側面が、以下の詳細な説明及び添付図面から容易に理解されるであろう。
【００３３】
【図１】３ＧＰＰアクセスについての非ローミングＥＰＣアーキテクチャを概略的に示すブロック図である。
【図２】Ｅ−ＵＴＲＡＮ全体のアーキテクチャを概略的に示すブロック図である。
【図３】ＥＰＣ制御プレーンのプロトコルアーキテクチャを概略的に示している。
【図４】ＥＰＣユーザプレーンのプロトコルアーキテクチャを概略的に示している。
【図５】基本的なＬＴＥのＤＬ物理リソースを概略的に示している。
【図６】ＬＴＥの時間ドメイン構造を概略的に示している。
【図７】ＤＬサブフレームを概略的に示している。
【図８ａ】従来のｅＮＢ無線インタフェースについての制御プレーンプロトコルレイヤを概略的に示している。
【図８ｂ】従来のｅＮＢ無線インタフェースについてのユーザプレーンプロトコルレイヤを概略的に示している。
【図９】５つのＣＣのＣＡを概略的に示している。
【図１０】デュアルコネクティビティのための無線プロトコルアーキテクチャを概略的に示している。
【図１１】デュアルコネクティビティに関与するｅＮＢのＣ−プレーン接続性を概略的に示すブロック図である。
【図１２】デュアルコネクティビティに関与するｅＮＢのＵ−プレーン接続性を概略的に示すブロック図である。
【図１３】機能的な分離及びマルチＲＡＴ統合についての問題を概略的に示している。
【図１４】多様な実施形態に係る、非同期的機能及び同期的機能をグループ化する概念を概略的に示している。
【図１５】多様な実施形態に係る、同期的機能グループ（ＳＦＧ）へのグループ化を概略的に示している。
【図１６】多様な実施形態に係る、ＵＥ側のピア機能を含むＳＦＧを概略的に示している。
【図１７ａ】多様な実施形態に係る、ｅＮＢ−ａ及びｅＮＢ−ｓへのｅＮＢの分離を概略的に示している。
【図１７ｂ】多様な実施形態に係る、ｅＮＢ−ａ及びｅＮＢ−ｓへのｅＮＢの分離を概略的に示している。
【図１８】多様な実施形態に係る、ｅＮＢ−ａ及びｅＮＢ−ｓが現れているネットワークアーキテクチャを概略的に示している。
【図１９】多様な実施形態に係る、ｅＮＢ−ａ及びｅＮＢ−ｓとのデュアルコネクティビティを概略的に示している。
【図２０】多様な実施形態に係る、ネットワーク機能オーケストレータ（ＮＦＯ）及び情報フローを概略的に示している。
【図２１】多様な実施形態に係る、ワイヤレス通信ネットワークの１つの実施形態のブロック図である。
【図２２】多様な実施形態に係る、基地局、ワイヤレスデバイス及び協調ネットワークノードについての例示的な詳細の１つの実施形態のブロック図である。
【図２３】多様な実施形態に係る、ワイヤレスデバイスについての機能性を分離する方法の１つの実施形態の論理フロー図である。
【図２４】多様な実施形態に係る、ネットワークノードの機能図である。
【図２５】多様な実施形態に係る、ワイヤレスデバイスについての分離機能性をハンドリングする方法の１つの実施形態の論理フロー図である。
【図２６】多様な実施形態に係る、基地局の機能図である。
【図２７ａ】多様な実施形態に係る、ワイヤレスデバイスのための方法の１つの実施形態を概略的に示すフローチャートである。
【図２７ｂ】多様な実施形態に係る、ワイヤレスデバイスのための方法の１つの実施形態を概略的に示すフローチャートである。
【図２８ａ】多様な実施形態に係る、ワイヤレスデバイスの１つの実施形態を概略的に示すブロック図である。
【図２８ｂ】多様な実施形態に係る、ワイヤレスデバイスの１つの実施形態を概略的に示すブロック図である。
【発明を実施するための形態】
【００３４】
ここで説明される実施形態は、５Ｇ  ＲＡＮのための柔軟な機能アーキテクチャを可能にし、柔軟な５Ｇ  ＲＡＮを統合されたマルチＲＡＴ機能アーキテクチャへと拡張することを含む。図１３に示したように、解決すべき１つの問題は、ワイヤレスデバイスへの通信サービスの提供に関連付けられるどの機能がＲＡＴ固有であるべきであって、どの機能が統合されたマルチＲＡＴアーキテクチャにおいて共通的であるべきかを決定することである。他の問題は、それら共通の及び固有の機能をいかにネットワークにおいて割り当てるべきかを決定することである。図１３に示したように、共通的な機能は、共通のインスタンスで割り当てられ、ＲＡＴ固有の機能は、固有のＲＡＴの基地局といった、ＲＡＴ固有のインスタンスで割り当てられ得る。ここで説明される実施形態において、図１３に示されている問題が対処される。
【００３５】
方法の実施形態は、様々なシナリオにおける柔軟なネットワーク機能のインスタンス化を実行するものとして説明される。その中で、モビリティ手続、初期アクセス、及び接続済み状態遷移といった期間中に、ワイヤレスデバイスは無線ネットワークへのアクセスを試行する。その方法は、緩慢なタイミング制約を伴う非同期的機能及び典型的にはタイムクリティカルな機能性を実行する同期的機能グループ（ＳＦＧ）における無線基地局機能の論理的な分離に依拠する。それら機能を実行する論理的なネットワークエレメントを、それぞれ、ＬＴＥのケースではｓ−ｅＮｏｄｅＢ（ｓ−ｅＮＢ又はｅＮＢ−ｓ）及びａ−ｅＮｏｄｅＢ（ａ−ｅＮＢ又はｅＮＢ−ａ）、５Ｇのケースではｓ−５Ｇ−ｅＮＢ及びａ−５Ｇ−ｅＮＢと呼ぶことができる。この論理的な分離が図１４に示されている。ｅＮＢ側では、機能ＳＦ１〜ＳＦＮは、ＳＦＧに属する同期的機能であり、従ってネットワークエレメントｅＮＢ−ｓに割り当てられ、機能ＡＦ１、ＡＦ２〜ＡＦＮは、ネットワークエレメントｅＮＢ−ａに割り当てられる非同期的機能である。ワイヤレスデバイスあるいはＵＥにおける機能の対応は、それら機能がワイヤレスデバイスへの通信サービスの提供に関連付けられることを示している。
【００３６】
上述したように、非同期的機能は、緩慢なタイミング制約を伴う機能であり、同期的機能は、典型的にはタイムクリティカルな機能性を実行する。同期的なネットワーク機能は、ワイヤレスデバイスとの通信のために使用される無線リンクのタイミングに厳密に依存する処理タイミングに関する要件を有する。非同期的なネットワーク機能は、無線リンクのタイミングに厳密には依存せず、あるいは無線リンクのタイミングには非依存であってさえよい処理タイミングに関する要件を有する。
【００３７】
さらに、ネットワーク機能のインスタンス化は、当該機能のためのソフトウェアコードを実行へ向けて準備の整った状態にするアクションへの言及であってよい。これは、実コードを（既に配備済みでない限り）配備することを包含してもよく、仮想的な若しくは物理的な（非仮想的な）実行プラットフォーム、データセンタ並びに／又はロケーションに必要とされるハードウェア及び／若しくはソフトウェアリソースを割り当てることを包含してもよい。割り当てられるリソースは、例えば、処理リソース、メモリ、仮想マシン及び／又は機能的に専用の回路を含み得る。
【００３８】
上記方法の１つの実施形態は、ワイヤレスデバイスがネットワークへのアクセスを試行する際に、エアインタフェースの物理的に最も近くに配備されているネットワークノード又はネットワークエレメントにおいて、所与のワイヤレスデバイスに関連付けられるＳＦＧを固定的にインスタンス化すること、よってそのためにリソースを割り当てること、を含む。そうしたノードは、ｅＮＢなどのＲＢＳであり得る。機能がどのようにＳＦＧへ属するものとして分類されるかについて、後に詳細に説明する。
【００３９】
本方法の他の実施形態は、非同期的機能を柔軟にインスタンス化すること、及びそのためにリソースを割り当てること、を含み、そのインスタンス化は、ＲＢＳ、又は異なるネットワークサイト内に位置する物理的に配備されたＦＮＮ（Fixed  Network  Nodes）のうちの少なくとも１つ、のいずれかで行われる。ＦＮＮは、ハブサイト、アクセスサイト、アグリゲーションサイト、ローカルスイッチングサイト、テレコムリジョナルデータセンタ、又はナショナルデータセンタに位置することができる。この柔軟なインスタンス化は、選択されるノード（ＲＢＳ又はＦＮＮ）がそれら機能をインスタンス化するための利用可能なリソースを有するであろうということを前提として行われてもよい。利用可能なリソースは、ハードウェアリソース、ソフトウェアリソース、及びトランスポートネットワークリソースであってもよい。トランスポートネットワークリソースは、ＦＮＮでのインスタンス化のケースでは、例えば、ＦＮＮとＲＢＳとの間のトランスポートネットワークにおけるリソースであってもよい。この非同期的機能の柔軟なインスタンス化は、非同期的機能がどこで、即ちどのノードでインスタンス化されるべきかに関して知識に基づく決定を行う目的で、関係する情報へのアクセスを有する論理的なネットワークエレメントにより行われる。決定を行うための関係する情報は、例えば、アプリケーションプログラミングインタフェースを介して、又はネットワークを通じた何らかの種類のシグナリングを介して取得されてもよい。この論理的なネットワークエレメントは、ネットワーク機能オーケストレータ（ＮＦＯ：Network  Function  Orchestrator）と呼ばれ得る。
【００４０】
上記方法の１つの実施形態において、上記概念は、複数のエアインタフェース若しくはエアインタフェースの派生へ、又は複数のＲＡＴへ拡張される。同じワイヤレスデバイスについて、ＳＦＧは、各エアインタフェースに関連付けられるインスタンスを有し得る。１つの例において、ＳＦＧは、５ＧアクセスのＬＴＥ準拠部分のためのインスタンス及び非ＬＴＥ準拠部分のためのインスタンスを有してもよい。一方、非同期的機能のインスタンスは、複数のエアインタフェースについて共通であってもよい。
【００４１】
［同期的なネットワーク機能と非同期的なネットワーク機能との区別］
方法の実施形態は、例えばｅＮＢ又は５Ｇ−ｅＮＢ  ＲＡＮ機能性などのＲＡＮ機能性の新たな分離を定義する。ＲＡＮ機能性は、（“ｅＮＢ−ａ”と呼ばれる）非同期的なネットワーク機能及び（“ｅＮＢ−ｓ”と呼ばれる）同期的なネットワーク機能へ分離されてよい。上記方法は、ネットワークサイト間のフロントホールトランスポートネットワークに関する要件の相対的に低い様々なネットワークサイト上に、それらネットワーク機能又はネットワーク機能グループを柔軟に配備する可能性を含む。留意すべきこととして、ｅＮＢ−ｓとｅＮＢ−ａとの共サイト化（co-siting）もまたサポートされる。さらに、非同期的機能のインスタンスが２つ以上の無線アクセスから同時に使用されてもよい。これは、それら無線アクセスが例えば２つのＬＴＥ−ＲＡＴなど同一のＲＡＴの一部であるケース、又は使用されるそれら無線アクセスが例えば一方はＬＴＥ  ＲＡＴであって他方は５Ｇ  ＲＡＴであるなど異なるＲＡＴの一部であるケース、の双方を含む。また留意すべきこととして、そうした機能又は機能グループの単一の、複数の、相異なる又は別個のインスタンスを示すために、“ｅＮＢ−ａ”及び“ｅＮＢ−ｓ”との用語が使用される。
【００４２】
実施形態において、ネットワーク側で稼働するＲＡＮ機能は、ペアへ編成され、同期的ペア又は非同期的ペアへ分類される。機能ｆ（ｎ−１）及びｆ（ｎ）からなる同期的機能ペアは、ｆ（ｎ）によるサービスデータユニット（ＳＤＵ）処理がｆ（ｎ−１）からの状態情報に依存する機能のペアであってよい。状態情報は、エアインタフェースの時間ドメイン構造に関連付けられる所与の時間ウィンドウtSynchWindow内でのみ有効である。時間ドメイン構造の例は、次の通りである：無線フレーム、サブフレーム、送信時間インターバル（ＴＴＩ）、時間スロット、シンボル、又はエアインタフェースにより定義される任意の他の複数個の若しくは整数個のフラグメント。図６は、Ｅ−ＵＴＲＡＮエアインタフェースについての時間ドメイン構造のいくつかの例を示している。機能ペアは、同じ又は他の状態情報に基づいて依存関係が他の機能へ及ぶ場合には、より大きいグループへ拡張されることができる。例えば、他の機能ｆ（ｎ＋１）がｆ（ｎ）により生み出される状態情報に基づいて自身のＳＤＵを処理しなければならない場合、図１５に示したように、機能ｆ（ｎ−１）、ｆ（ｎ）、ｆ（ｎ＋１）は、ＳＦＧを形成する。機能ｆ（ｎ−１）、ｆ（ｎ）、ｆ（ｎ＋１）は、それぞれのプロトコルレイヤ、Layer（ｋ−１）、Layer（ｋ）、Layer（ｋ＋１）に対応する。機能ｆ（ｎ−１）からの状態情報stateInfo1は、時間ウィンドウtSynchWindowの期間中に有効である。従って、機能ｆ（ｎ）の処理及び状態情報stateInfo2の露出は、stateInfo1が有効な時間内に実行されなければならない。分類に基づいて、同じＳＦＧに属する機能は同じノード内に配備され得る。
【００４３】
１つの例示的な実施形態において、ＬＴＥでは以下の３つのネットワーク機能がＳＦＧを形成する：ＭＡＣレイヤに配置される“ＤＬでの無線リソーススケジューリング”、ＰＨＹレイヤにおける“チャネルステータス情報（ＣＳＩ）ハンドリング又は受信”、及び、ＲＬＣレイヤにおけるＳＤＵのフラグメント化／再組立て。ＰＨＹレイヤでのＣＳＩレポートは、次のＴＴＩへ向けて所与のＵＥをどのリソースブロックへ割り当てるかを決定できるように、ＭＡＣのスケジューラへ通知されなければならない。この処理が一度行われると、ＲＬＣの物理データユニット（ＰＤＵ）を割り当てリソースの量にフィットさせる目的で、スケジューラは、ＲＬＣのフラグメント化／再組立て機能へ通知を行わなければならない。この状態情報の移送は、ＬＴＥ  ＴＴＩ（１ｍｓ）に関連付けられる時間ウィンドウtSynchWindowの範囲内でなされなければならない。さもなければ、状態情報はもはや有効でなくなる。従って、これら３つのネットワーク機能はＳＦＧを形成する。他の実施形態において、ネットワークピアにおける機能ｆ（ｎ）ＳＤＵの処理がそのＵＥピアから来る状態情報に依存する場合、かつその処理がエアインタフェースの時間ドメイン構造に関連付けられるtSynchWindowの範囲内で実行されなければならない場合、ＳＦＧの定義は所与の機能のＵＥピアがＳＦＧの一部となるように拡張される。このケースでは、ＳＦＧ機能が同じノードに配備されなければならないだけではなく、そのノードはＵＥのエアインタフェースに近くなければならない。これが図１６に示されており、ＵＥからの状態情報stateInfo3が図１５のシナリオに追加されている。従って、このシナリオでは、ＳＦＧは、同じノードであってエアインタフェースに近いノードにおいてインスタンス化される。
【００４４】
ネットワーク側の非同期的なＲＡＮ機能ｇ（ｎ）は、個別の各エアインタフェースの時間ドメイン構造に関連付けられるいかなる時間ウィンドウtSynchWindowの下でも厳密に有効でない、他の機能ｇ（ｎ−１）により生み出される状態情報にそのＳＤＵ処理が依存する機能として定義される。代替的に、機能ｇ（ｎ）のＳＤＵ処理は、ｇ（ｎ−１）からのいかなる状態情報にも全く依存しない。機能ｇ（ｎ−１）は、ＳＦＧへ属してもよい。非同期的機能ペアを定義することができ、それらはノード間のインタフェースを介して接続される様々な論理的ノードに配置される柔軟性を有する。これに加えて、ネットワーク側の非同期的機能がいかなるＳＤＵ処理を実行するにもそのＵＥピアからのタイムクリティカルな情報に依存しない場合、その機能は、エアインタフェースから遠く離れて配備される柔軟性をも有する。従って、非同期的機能を、ＳＦＧと物理的に同じノード、即ち、典型的にはエアインタフェースに近いノード、又は遠く離れたノードのいずれかに柔軟に配置することができる。１つの例において、非同期的機能又は機能ペアは、ＦＮＮのうちの１つに配置され又はそこでインスタンス化されてもよい。
【００４５】
［ネットワーク機能をどこに割り当てるべきかを決定するための基準］
前のセクションで説明した基準に加えて、機能の特性、並びに異なるプロトコルレイヤで実行されるネットワーク機能間の関係性及び依存関係といった他の基準が適用されてもよい。それら他の基準は、特定の機能性を一緒にグループ化する利益を含んでもよい。例えば、１つの利益は、異なる複数の機能のために共通のメモリを使用することであってよく、異なるプロセッサ及び／又はメモリの間でデータをコピーする必要性が無い。他の基準は、高速なＵＬ  ＣｏＭＰ、高速なＤＬ  ＣｏＭＰ、結合セル、キャリアアグリゲーション、低速なＵＬ  ＣｏＭＰ、低速なＤＬ  ＣｏＭＰ、及びデュアルコネクティビティなど、様々なレベルでのＲＡＮ協調の特徴を提供する可能性を含んでもよい。さらなる基準は、分離ポイントでのトランスポートネットワークへの影響、即ち、特定のタイムクリティカルな無線インタフェースの機能性についての結果としてもたらされるトランスポートネットワーク要件及びハードウェア要件を含んでもよい。
【００４６】
［例示的なシナリオ−様々なＬＴＥプロトコルレイヤに関連する機能性の分離］
他の実施形態において、上で定義した基準を適用し、Ｅ−ＵＴＲＡＮアーキテクチャについて定義されている現在のプロトコルスタックを想定すると、以下の機能的な分離が行われ得る。ＰＨＹレイヤの機能性は、無線インタフェースの近くに共設される。ＤＵ及びＲＲＵの間のＣＰＲＩなど、高速且つ低レイテンシなデータインタフェースが利用可能な場合には、ＰＨＹレイヤを複数の異なる部分へ分割することも可能である。ＣＰＲＩインタフェースは、ＩＦＦＴ／ＦＦＴ及びサイクリックプレフィクスの挿入／除去をＲＲＵへ移動させることにより、現在の時間ドメイン（ＩＱサンプル）から周波数ドメインデータへの拡張を行うことができるはずである。これがＣＰＲＩインタフェースに関する帯域幅要件を緩和させ得る。
【００４７】
ＭＡＣレイヤは、好適には、ＰＨＹレイヤの非常に近くに共設される。これら２つのレイヤの機能はＳＦＧを構成する。ＭＡＣレイヤは、ＵＬ及びＤＬの双方のスケジューラと、ＨＡＲＱの機能性とを含む。ＭＡＣスケジューラは、ＴＴＩのタイムスケール（ＬＴＥのケースでは１ｍｓ）で作動し、ユーザをＲＢへ割り当てる。このスケジューリングは、ＵＬから取得される情報にも基づく。最新の情報を使用する目的で、スケジューラをＰＨＹと同じロケーションに有することが有利である。
【００４８】
ＨＡＲＱの機能性は、非常にタイトな遅延要件を有する。ＨＡＲＱの機能性は、８ｍｓのラウンドトリップ時間へ向けて設計されている。これは、ＵＬ送信の受信から対応する次のＤＬ送信までにネットワーク内で最大３ｍｓの処理時間が可能であることを意味する。なぜなら、ＵＬ送信は１ｍｓのサブフレーム時間長にわたるからである。トランスポートネットワークの遅延をも考慮に入れると、ネットワーク処理のために約２．５ｍｓが残され、トランスポートネットワークの遅延のさらなる増加がネットワーク処理部分に一層タイトな要件を課すかもしれない。
【００４９】
ＲＬＣレイヤは、好適には、ＭＡＣレイヤと共設される。これら２つのレイヤの機能はＳＦＧを構成する。その主な理由は次の通りである。ＲＬＣレイヤは、動的なＲＬＣ−ＰＤＵサイズの構築を含む。そのサイズは、ＭＡＣにおいてスケジューリングされるデータレートに関連する。モジュール間の伝送遅延に起因してスケジューラ決定のための時間をロスしないために、ＲＬＣとＭＡＣとを共設することが有利である。ＲＬＣとＭＡＣとが分離されることがあれば、トランスポートネットワークの遅延に依存して、ＲＬＣ及びＭＡＣのバッファ間で、新しい、恐らくは複雑なフロー制御の機能性が必要となるはずである。
【００５０】
一方、ＲＲＣ及びＰＤＣＰのレイヤ及び機能性をＲＬＣレイヤの近くに配置すべきタイトな要件は存在しない。
【００５１】
これら検討から、以下のｅＮＢ機能性の分離が導かれる。ＲＬＣ、ＭＡＣ及びＰＨＹの機能性は、それらがＳＦＧを形成するものと考えられることから一緒に保たれ、ＲＲＣ及びＰＤＣＰは、それら機能性が非同期的なものと考えられることから一緒に保たれる。従って、ｅＮＢの新たな機能上の分離は、２つの新たな機能エンティティあるいは論理ネットワークエレメント：（ｅＮＢ非同期ネットワーク機能のための）ｅＮＢ−ａ及び（ｅＮＢ同期ネットワーク機能のための）ｅＮＢ−ｓを与える。図１７ａ及び図１７ｂにこれがさらに示されている。
【００５２】
図１７ａは制御プレーンについてのｅＮＢ−ａ（及びｅＮＢ−ｓ）を示しており、図１７ｂはユーザプレーンについてのｅＮＢ−ａ（及びｅＮＢ−ｓ）を示している。様々なオプションにおいて、ｅＮＢ−ａのこれら部分を組み合わせること又は分けることができる。図１８は、組み合わせ型のｅＮＢ−ａのケースの例示的なネットワークアーキテクチャの様子を示している。ｅＮＢ−ａとｅＮＢ−ｓとの間のインタフェースは、新たなインタフェースである。それ以外のインタフェースは、旧来の３ＧＰＰインタフェースである。
【００５３】
［例示的なシナリオ−デュアルコネクティビティ］
本発明の開示の実施形態は、既存の（２Ｇ、３Ｇ、４Ｇなど）及び将来の無線アクセスネットワーク（５Ｇ、６Ｇなど）の新たな機能性を提供することに関連する。その機能性は、例えば制御プレーンについてのＤＣに関する、（４Ｇ及び５Ｇといった）様々な無線アクセスタイプの間の緊密な統合を提供する。ＤＣは、ＣＡのようにタイトな時間同期を要することなく、全てのＬＴＥキャリア上でデータを送信／受信することをも可能にする。これが可能になるのは、ＵＥが全てのキャリア上の全てのスケジューリングチャネルをリッスンすることになるからである。
【００５４】
１つの例示的なシナリオにおいて、提案される機能性の分離は、ＬＴＥ内の制御プレーン及びユーザプレーンの双方についてのＤＣ解決策のための共通的な制御ポイントを可能にする。ＬＴＥのシナリオは、単に１つの非限定的且つ例示的な実施形態である。その解決策は、他のいかなるエアインタフェースにも適用されてよい。ｅＮＢ−ａは、ＵＥが２つ以上の異なるｅＮＢ−ｓを介して接続される場合の共通的なポイントであり得る。これが図１９に示されており、ＵＥは、ｅＮＢ−ｓ１及びｅＮＢ−ｓ２の双方を介してｅＮＢ−ａへ接続される。ｅＮＢ−ａは、非同期的機能を一般的に含み、即ち、制御プレーン［ＲＲＣ及びＰＤＣＰ）及びユーザプレーン（ＰＤＣＰ）の双方のための共通的なプロトコルを含む。
【００５５】
なお、非ＬＴＥ準拠の５Ｇアクセスは、例えば、動作することが想定され得る高い周波数、及び／又は対処することを要し得る新たなユースケースに起因して、ＬＴＥ準拠の５Ｇアクセスとは異なる下位レイヤプロトコルを有する可能性がある。従って、ＬＴＥと新たな５Ｇ無線アクセスとの間のＣＡは困難であるかもしれない。標準化されるＤＣの解決策は様々なレベルのユーザプレーン統合のみを含むが、２つの異なるＬＴＥキャリア間の又はＬＴＥ準拠及び非ＬＴＥ準拠のキャリア間のデュアル制御プレーンのための手段は無い。
【００５６】
他のシナリオにおいて、所与のＵＥは、複数のエアインタフェースへ接続することができる（必ずしも同時ではない）。上で説明した機能上の分離を、例えば５Ｇ無線アクセスにおけるＬＴＥ準拠部分及び非ＬＴＥ準拠部分といったエアインタフェースごとの特有のＳＦＧを有しながらそれら複数のエアインタフェースについて非同期的機能の同じインスタンスが定義されるように、拡張することができる。
【００５７】
同期的機能及び非同期的機能の新たな分離は、特に異なるＲＡＴ（例えば、１つのＬＴＥ  ＲＡＴ及び１つの５Ｇ  ＲＡＴ）間のＤＣにあてはまる。このケースでは、ｅＮＢ−ａは非同期的機能について制御プレーン及びユーザプレーンの双方について共通的なサポートを含むことができ、ｅＮＢ−ｓは同期的機能を含む。さらにそれは、同期的機能が、例えばＬＴＥ  ＲＡＴ及び５Ｇ  ＲＡＴについて相違するなど、ＲＡＴ固有であることをも可能にする。図１９を参照すると、ｅＮＢ−ａはそのように５Ｇ及びＬＴＥについて共通であり、ｅＮＢ−ｓ１はＬＴＥ固有であって、ｅＮＢ−ｓ２は５Ｇ固有であり得る。
【００５８】
［ネットワーク機能のインスタンス化のためのリソースの割り当て］
本発明の実施形態によれば、ＮＦＯとして言及され得るネットワークエレメントは、第１のネットワーク機能が同期的か又は非同期的かに基づいて、当該第１のネットワーク機能のインスタンス化のためのワイヤレス通信ネットワークのリソースを割り当てる。
【００５９】
非同期的機能の柔軟な機能のインスタンス化のための１つの実施形態において、インスタンス化は、予め構成されるイベントによりトリガされる。前に説明したように、上記方法は、ＲＢＳ及びＦＮＮに関する状態情報、並びに非同期的機能に関連する要件へのアクセスを有する、ＮＦＯと呼ばれ得るネットワークエレメントにより実行される。１つの実施形態において、ＮＦＯは、次に関する情報へのアクセスを有し得る：
１．無線アクセスノード（例えば、ＲＢＳ）及びＦＮＮの利用可能なリソース。ソフトウェアリソース（例えば、メモリ、処理電力）、ハードウェアリソース（例えば、ブレード数、プロセッサ数、プロセッサのタイプ、共通的な又は固有の目的がある場合、ハードウェアアクセラレータの存在／その量）、並びに、ｍ番目のＦＮＮ及びＲＢＳからの遅延及びジッタ測定結果／統計値
２．ソフトウェア、ハードウェア及びタイムクリティカリティの観点での非同期的機能の要件
ＮＦＯにおいて、予め構成され得るネットワークイベントは、上の項番（１）及び（２）の情報を考慮に入れて、非同期的機能のインスタンス化をトリガし、非同期的機能をどこでインスタンス化するか、即ち、例えばＲＢＳで又はＦＮＮのいずれかでなど、機能にどこでリソースを割り当てるかを決定する。
【００６０】
図２０は、ＮＦＯとの間の情報の流れを矢印で示している。ネットワークノード（ＲＢＳ及びＦＮＮ）からＮＦＯへの矢印２０１０は、ハードウェアリソース及び／又はソフトウェアリソースの観点でのネットワークノードにおいて利用可能なリソースに関連する状態情報に対応し得る。矢印２０２０は、例えばソフトウェア、ハードウェア及びタイムクリティカリティの観点での、非同期的機能及び同期的機能の要件に対応する。矢印２０３０は、非同期的機能のインスタンス化をトリガするネットワークイベントに対応する。矢印２０４０は、ＮＦＯへの入力に基づいてなされる決定を示しており、ＮＦＯは、ネットワーク内のどこで様々な同期的機能及び非同期的機能のためにリソースを割り当てるべきかを決定する。
【００６１】
２０３０におけるインスタンス化をトリガするイベントは、初期ネットワーク構成及びネットワーク再構成であってもよく、その場合、リソース割り当ては半永続的な割り当てである。しかしながら、リソース割り当てをトリガするネットワークイベントは、例えばあるタイプのリソースが全て又はほとんど全て既に使用中である場合などに生じる、予め決定されるネットワークノード又はエンティティにおけるリソースの欠如であってもよい。他の代替策では、トリガイベントは、ノード若しくはリンクの障害、又は他の計画的なメンテナンス活動である。さらに、前に既に言及したように、実施形態に係るリソース割り当てをトリガするネットワークイベントは、ワイヤレスデバイスの初期アクセス又はハンドオーバアクセスなど、ワイヤレスデバイスレベルでのイベントであってもよく、そのようにリソース割り当てがよりダイナミックに行われてもよい。ネットワークイベントの他の例は、予め構成されるイベントであってもよく、例えば、セルベースの非同期的機能のインスタンス化をトリガする新たなｅＮＢ−ｓのセットアップなどである。ＵＥ固有の非同期的機能のインスタンス化をトリガする所与のＵＥの初期アクセスであることもできる。例えば、リソースの欠如又はリソース欠如目前であることなど、ＦＮＮにおける何らかのイベントであることもできる。ネットワーク機能のインスタンス化は、マルチＲＡＴシナリオについて生じることもでき、その場合、複数のエアインタフェース、ＲＡＴ又はエアインタフェースの派生に対して共通的な非同期的機能がインスタンス化される。これは、ＵＥベースの非同期的機能のセルベースの非同期的機能のいずれかであることができる。
【００６２】
ＮＦＯは、非同期的機能をどこでインスタンス化すべきか、及びどこでリソースを割り当てるべきかを決定する。説明したように、インスタンス化は、ネットワーク内の何らかのイベントによりトリガされ得る。代替的に、インスタンス化は、定常的に更新されてもよい。矢印２０１０、２０２０及び２０３０により示されており上で説明した情報は、静的に、準静的に又は動的に取得されてもよい。１つの例において、メモリ、処理パワーなどのネットワークエンティティ内の利用可能なハードウェア及びソフトウェアの総量は、アップグレードが行われた場合にのみ更新される。一方、ネットワークエンティティ内の利用されているリソースの割合は、より頻繁に更新され得る。
【００６３】
方法の実施形態は、ＲＡＮ機能を同期的及び非同期的なものとして分類し、同期的及び非同期的という区別に基づいて柔軟に、エアインタフェースの近傍であり得る複数のネットワークノードのいずれかで、又は例えばデータセンタ内に位置するＦＮＮで、非同期的機能をインスタンス化する。
【００６４】
１つの例示的なケースにおいて、ＵＥは、セルへのアクセスを試行してもよく、即ち、主としてセル固有である何らかの非同期的機能がインスタンス化済みであるべきである。このイベントは、ＵＥベースの非同期的機能のインスタンス化をトリガする。全ての入力（図２０参照）に基づいて、ＮＦＯは、所与のサイトで非同期的機能をインスタンス化することを決定する。ｅＮＢ−ｓとそのＵＥについてｅＮＢ−ａをホスティングするサイトとの間で、Ｓ１に類似するインタフェースが利用可能であってもよい。ｅＮＢ−ａがどこに位置するかがｅＮＢ−ｓへ通知されてもよい。代替的に、インスタンス化をトリガするイベントが、Ｓ１に類似するリンクを確立するために相手が見つけられるように、新たにインスタンス化されるｅＮＢ−ａへ通知されるｅＮＢ−ｓアイデンティティを含む。
【００６５】
他の例示的なケースは、機能グループの再構成に関与する。例えば、当初は特定のＵＥのために特定の分離及び／又は配備が使用され、そして後になって、その時点の分離及び／又は配備を変更する必要性が検知される。これは、そうした例示的なケースが、ネットワーク内で離れて分散する“ｅＮＢ−ａ”及び“ｅＮＢ−ｓ”の双方と共に開始し得ることを意味し、一方で、その後になって“ｅＮＢ−ｓ”及び対応する同期的機能が集中化されるべきであって、従って他のネットワークリソースにおいてインスタンス化されるべきであることが検知され得る。他の例において、反対であるが、あるケースは、より一元的な“ｅＮＢ−ｓ”と共にまず開始してもよく、そして後になってｅＮＢ−ｓが分散されるべきであると決定される。
【００６６】
［インスタンス化を適用するためのネットワークにおけるシグナリング］
第１の例示的なシナリオにおいて、ＮＦＯは、ネットワーク再構成によりトリガされて、いくつかのネットワーク機能をネットワークエンティティ−１へインスタンス化し、及びいくつかをネットワークエンティティ−２へインスタンス化する。従って、ＮＦＯは、決定に関して通知を行い及び／又はそれらネットワークエンティティでのインスタンス化を適用するために、異なるネットワークエンティティに向けたシグナリングを開始する必要がある。さらに、ネットワークエンティティ−１及びネットワークエンティティ−２は、互いの存在に関する通知、またそれらネットワークエンティティが関連付けられるのはワイヤレスデバイス識別子又は無線／ネットワークリソースのどの範囲かに関する通知をされなければならないかもしれない。１つの非限定的な例において、以下の情報を例えばネットワークエンティティ−１へシグナリングする必要がある：
１．ネットワークエンティティ−１がいくつかの若しくは全てのＵＥについて、又はいくつかの若しくは全ての無線／ネットワークリソースについて“ＰＨＹレイヤ”を担当するものとする、という情報。
２．いくつかの若しくは全てのＵＥについて、又はいくつかの若しくは全ての無線／ネットワークリソースについて他のネットワーク機能をハンドリングするネットワークエンティティ−２など、他のネットワークエンティティへのアドレスのリスト。ＵＥ又はリソースの異なるグループをハンドリングする複数の他のネットワークエンティティが存在してよい。
３．そのエンティティが責任を有し及びハンドリングすべきセルリソース又はＵＥ識別子の範囲に関連する情報。
【００６７】
第２の例示的なシナリオにおいて、ＵＥは、ネットワークエンティティ−１を介してランダムアクセスを実行する。ネットワークエンティティ−１は、ＮＦＯへ、ＵＥのアクセス試行に関して通知を行う。すると、ＮＦＯは、ＵＥがランダムアクセスを実行中であるという受信情報によりトリガされて、そのＵＥへ通信サービスを提供するための何らかのネットワーク機能性をインスタンス化することを決定する。ＮＦＯは、ＵＥのための様々な機能性をいかに割り当てるべきかについて決定を行う。ＮＦＯにより以下の決定が行われ得る：
１．ネットワークエンティティ−１は、そのＵＥについてのＰＨＹレイヤの機能性を提供するものとする。
２．ネットワークエンティティ−２は、そのＵＥについてのＭＡＣレイヤ及びＲＬＣレイヤの機能性を提供するものとする。
３．ネットワークエンティティ−３は、そのＵＥについてのＰＤＣＰレイヤ及びＲＲＣレイヤの機能性を提供するものとする。
ＮＦＯは、決定に関して全ての異なるネットワークエンティティに向けたあるシグナリングを開始する必要がある。加えて、それら異なるネットワークエンティティへ他のネットワークエンティティに関して通知を行う必要がある。以下のシグナリングが必要であり得る：
−ＮＦＯからネットワークエンティティ−１へシグナリング：
１．ＵＥについて“ＰＨＹレイヤ”を担当せよとの情報
２．“ネットワークエンティティ−２”のアドレス
３．ネットワークエンティティ−１からネットワークエンティティ−２へ送信されるいかなるデータもネットワークエンティティ−２において識別可能となるように（逆も同様）、共通のＵＥ識別子。他の代替策は、それら相異なるネットワークエンティティ間で接続を確立すること（機能的に専用の回線）であり得る。
−ＮＦＯからネットワークエンティティ−２へシグナリング：
１．ＵＥについて“ＭＡＣ＆ＲＬＣレイヤ”を担当せよとの情報
２．“ネットワークエンティティ−１”及び“ネットワークエンティティ−３”の双方のアドレス
３．共通のＵＥ識別子（上を参照）
−ＮＦＯからネットワークエンティティ−３へシグナリング：
１．ＵＥについて“ＰＤＣＰ＆ＲＲＣレイヤ”を担当せよとの情報
２．“ネットワークエンティティ−２”のアドレス
３．共通のＵＥ識別子もまた必要とされる（上を参照）
【００６８】
［実施形態の利点］
同期的なネットワーク機能と非同期的なネットワーク機能とを区別することに基づく、本発明の実施形態に係るリソース割り当ての１つの利点は、同期的機能の処理タイミングに関する要件を依然として充足しながら、非同期的機能について柔軟な機能配備が可能とされることである。さらに、例えばＳＦＧの機能配置を制約する客観的な基準の集合が提案される。
【００６９】
本発明の実施形態は、ネットワークへのアクセスを試行するＵＥに関連付けられる所与のサービス、又は所与の配備に関連付けられる所与のサービス（例えば、超高信頼性のＭＴＣ要件を有するデバイスを伴う工場内、など）の遅延要件に依存した、柔軟な機能の集中化及び／又は分散を可能にし得る。
【００７０】
非同期的機能についてのインスタンス化及びリソース割り当てにおける柔軟性は、より良好なスケーラビリティを可能にする。１つの説明として、ＲＡＮの制御プレーンの機能性−例えば、ＬＴＥにおける現時点のＲＲＣレイヤにあたる−は、非同期的であって、主にデバイス数と共に拡縮する一方、同期的機能はトラフィック量と共に拡縮する。
【００７１】
本発明の実施形態は、ＵＥが必ずしも同時ではないものの複数のエアインタフェースへ接続可能であるケースへ拡張される。その場合、相異なる無線アクセス間の、デュアル制御プレーンとしても知られるタイトな制御プレーン統合が提供される。これに伴う主な利益は、ＵＥが無線アクセス間を移動する最中の目に見える中断が最小化された、回復力のある制御プレーン解決策である。
【００７２】
［図２７ａ〜図２７ｂへの参照と共に説明される方法の実施形態］
図２７ａは、ワイヤレスデバイスとの通信をサポートするためのリソース割り当ての方法の１つの実施形態を示すフローチャートである。本方法は、ワイヤレス通信ネットワークのネットワークエレメント２８００において実行される。このネットワークエレメントは、前のセクションにおいて説明したＮＦＯであってよい。本方法は、次を含む：
−２７１０：同期的なネットワーク機能と非同期的なネットワーク機能とを区別する。同期的なネットワーク機能及び非同期的なネットワーク機能は、ワイヤレスデバイスへの通信サービスの提供に関連付けられる。同期的なネットワーク機能は、上記ワイヤレスデバイスとの通信のために使用される無線リンクのタイミングに厳密に依存する処理タイミングに関する要件を有する。非同期的なネットワーク機能は、上記無線リンクの上記タイミングに厳密には依存しない処理タイミングに関する要件を有する。同期的なネットワーク機能及び非同期的なネットワーク機能のいくつかの例は、上のセクション［同期的なネットワーク機能と非同期的なネットワーク機能との区別］において与えられている。
−２７２０：第１のネットワーク機能が同期的か又は非同期的かに基づいて、上記第１のネットワーク機能のインスタンス化のために、上記ワイヤレス通信ネットワークのリソースを割り当てる。
【００７３】
図２７ｂは、ネットワークエレメント２８００における方法の他の実施形態を示すフローチャートである。本方法は、次を含む：
−２７１０：同期的なネットワーク機能と非同期的なネットワーク機能とを区別する。同期的なネットワーク機能及び非同期的なネットワーク機能は、ワイヤレスデバイスへの通信サービスの提供に関連付けられる。同期的なネットワーク機能は、上記ワイヤレスデバイスとの通信のために使用される無線リンクのタイミングに厳密に依存する処理タイミングに関する要件を有する。非同期的なネットワーク機能は、上記無線リンクの上記タイミングに厳密には依存しない処理タイミングに関する要件を有する。
−２７１５：次のうちの少なくとも１つに関連する情報を取得：第１のネットワーク機能の特性、第１のネットワーク機能とさらなるネットワーク機能との間の関係性又は依存関係、ワイヤレス通信ネットワークのエンティティ内の利用可能なリソース、ワイヤレス通信ネットワークのエンティティ間の送信リソース、及び、ワイヤレスデバイス。第１のネットワーク機能の特性は、例えば、タイミング特性であってよい。第１のネットワーク機能とさらなるネットワーク機能との間の関係性又は依存関係とは、例えば、ＬＴＥにおけるＰＨＹ、ＭＡＣ及びＲＬＣの間に存在する関係性又は依存関係などであってよい（上のセクション［例示的なシナリオ−様々なＬＴＥプロトコルレイヤに関連する機能性の分離］参照）。エンティティ内の利用可能なリソースに関連する情報とは、例えば、機能性がインスタンス化され得る様々なエンティティにおける利用可能な処理リソース及びメモリリソースであってよい。ワイヤレス通信ネットワークのエンティティ間の送信リソースに関連する情報とは、例えば、異なるエンティティ間のレイテンシに関する情報であってよい。ワイヤレスデバイスに関連する情報とは、サブスクリプションタイプ、進行中の“トラフィック／ベアラ”及びそれらのサービス品質に関する情報であってよい。
−２７２０：第１のネットワーク機能が同期的か又は非同期的かに基づいて、及び取得される上記情報にも基づいて、第１のネットワーク機能のインスタンス化のためにワイヤレス通信ネットワークのリソースを割り当てる。これは、単にネットワーク機能が同期的か又は非同期的かという要因だけではなく、他の基準が割り当ての決定を行う際に適用され得ることを意味する。
−２７３０：第１のネットワーク機能のインスタンス化に関連する情報を送信する。当該情報は、割り当てられたリソースに関連付けられる、ワイヤレス通信ネットワークの少なくとも１つのネットワークエンティティへ送信される。情報のシグナリングの例及びシグナリングされる情報のタイプは、上のセクション［インスタンス化を適用するためのネットワークにおけるシグナリング］において与えられている。
【００７４】
図２７ａ及び図２７ｂを参照しながら説明した上の実施形態のいずれにおいても、第１のネットワーク機能のインスタンス化のためにリソースを割り当てること２７２０は、第１のネットワーク機能が同期的である場合に、
−無線リンク上での送信及び受信についてのレイテンシが閾値を下回ることになる第１のリソースを割り当てることによって、同期的なネットワーク機能についての処理タイミングに関する前記要件を充足すること、
を含んでよい。例えば、エアインタフェースに最も近いネットワークノード内のリソースを割り当てることによって、無線リンク上の送信及び受信についてのレイテンシは低くなる。よって、これは、限定された時間ウィンドウ内で実行されなければならない同期的機能のために適したリソース割り当てである。オプションとして、リソースの割り当ては、他の基準にも基づいて、又は上述したステップ２７１５において取得される情報にも基づいて行われてもよい。
【００７５】
図２７ｂを参照しながら説明した実施形態において、第１のネットワーク機能のインスタンス化のためにリソースを割り当てること２７２０は、第１のネットワーク機能が非同期的である場合に、
−取得される上記情報に基づいて、上記無線リンク上での送信及び受信について第１のリソースよりも大きいレイテンシをもたらし得る第２のリソースを割り当てること、
を含んでよい。非同期的なネットワーク機能については、無線リンク上の送信及び受信についてのレイテンシは、常に低くなければならないわけではない。但し、他のネットワーク機能との関係性又はその時点のネットワーク機能の特性といった他の基準を、リソースを割り当てる際に考慮に入れることが現実的であり得る。リソースをいかに割り当てるべきかの具体例は、上のセクション［例示的なシナリオ−様々なＬＴＥプロトコルレイヤに関連する機能性の分離］において与えられている。
【００７６】
図２７ａ及び図２７ｂを参照しながら説明した上の実施形態のいずれにおいても、割り当てられるリソースは、処理リソース、メモリリソース、及びネットワークインタフェースに関連するリソースのうちの１つ以上を含んでよい。ネットワークインタフェースに関連するリソースは、例えば、様々なトランスポート又はネットワークインタフェースにおける送信帯域幅であってもよい。
【００７７】
さらに、実施形態において、リソースは、第２のネットワーク機能が同期的か又は非同期的かに基づいて、第２のネットワーク機能のインスタンス化のためにも割り当てられてよい。前に説明したように、第１のネットワーク機能及び第２のネットワーク機能は、それぞれ異なるプロトコルレイヤに対応してもよい。第１のネットワーク機能及び第２のネットワーク機能は、共に、同期的機能グループあるいはＳＦＧへグループ化される同期的なネットワーク機能であってもよい。無線リンク上での送信及び受信についてのレイテンシが閾値を下回ることになるリソースがＳＦＧのために割り当てられてもよい。
【００７８】
上述した実施形態のいずれにおいても、リソースの割り当て２７２０は、ネットワークイベントによりトリガされてよい。前に説明したように、インスタンス化をトリガするイベントは、初期のネットワーク構成及びネットワーク再構成であってもよく、そのケースにおいてリソース割り当ては半永続的な割り当てである。しかしながら、リソース割り当てをトリガするネットワークイベントは、例えばあるタイプのリソースが全て又はほとんど全て既に使用中である場合などに生じる、予め決定されるネットワークノード又はエンティティにおけるリソースの欠如であってもよい。他の代替策では、トリガイベントは、ノード若しくはリンクの障害、又は他の計画的なメンテナンス活動である。さらに、トリガとなるネットワークイベントは、ワイヤレスデバイスの初期アクセス又はハンドオーバアクセスなど、ワイヤレスデバイスレベルでのイベントであってもよく、そのようにリソース割り当てがよりダイナミックに行われてもよい。
【００７９】
さらなる実施形態において、デュアルコネクティビティ動作のために第１の無線リンク及び第２の無線リンクがワイヤレスデバイスとの通信のために使用されてもよい。そして、ネットワークエレメントあるいはＮＦＯにおける方法は、第１のネットワーク機能が非同期的であり且つ第１の無線リンク及び第２の無線リンクの双方に関連付けられる場合に、
−第１のネットワーク機能の動作が第１の無線リンクに関連付けられ且つ第１のネットワーク機能の動作が第２の無線リンクに関連付けられる際に少なくとも部分的に同じリソースを利用することができるように、第１のネットワーク機能のインスタンス化のためにリソースを割り当てること、
を含んでもよい。
【００８０】
［図２８ａ〜図２８ｂへの参照と共に説明される装置の実施形態］
ワイヤレス通信ネットワークのためのネットワークエレメント２８００の一実施形態が、図２８ａのブロック図に概略的に示されている。当該ネットワークエレメントは、ワイヤレスデバイスとの通信をサポートするためにリソースを割り当てるように構成される。上記ネットワークエレメントは、さらに、同期的なネットワーク機能と非同期的なネットワーク機能とを区別する、ように構成される。同期的なネットワーク機能及び非同期的なネットワーク機能は、上記ワイヤレスデバイスへの通信サービスの提供に関連付けられる。同期的なネットワーク機能は、上記ワイヤレスデバイスとの通信のために使用される無線リンクのタイミングに厳密に依存する処理タイミングに関する要件を有する。非同期的なネットワーク機能は、上記無線リンクの上記タイミングに厳密には依存しない処理タイミングに関する要件を有する。上記ネットワークエレメントは、第１のネットワーク機能が同期的か又は非同期的かに基づいて、上記第１のネットワーク機能のインスタンス化のために、上記ワイヤレス通信ネットワークのリソースを割り当てる、ようにも構成される。
【００８１】
実施形態において、ネットワークエレメント２８００は、上記第１のネットワーク機能の特性、上記第１のネットワーク機能とさらなるネットワーク機能との間の関係性又は依存関係、上記ワイヤレス通信ネットワークのエンティティ内の利用可能なリソース、上記ワイヤレス通信ネットワークのエンティティ間の送信リソース、及び、上記ワイヤレスデバイス、のうちの少なくとも１つに関連する情報を取得する、ようにさらに構成されてもよい。そして、ネットワークエレメント２８００は、取得される上記情報にも基づいて、第１のネットワーク機能の上記インスタンス化のために上記リソースを割り当てる、ようにさらに構成されてもよい。
【００８２】
ネットワークエレメント２８００は、上記第１のネットワーク機能が同期的である場合に、上記無線リンク上での送信及び受信についてのレイテンシが閾値を下回ることになる第１のリソースを割り当てることにより、上記第１のネットワーク機能の上記インスタンス化のために上記リソースを割り当てる、ようにさらに構成されてもよい。それによって、同期的なネットワーク機能についての処理タイミングに関する上記要件を充足することができる。オプションとして、第１のネットワーク機能のインスタンス化のためのリソースの割り当ては、取得される上記情報にも基づいてもよい。
【００８３】
ネットワークエレメント２８００は、第１のネットワーク機能が非同期的である場合に、取得される上記情報に基づいて、上記無線リンク上での送信及び受信について上記第１のリソースよりも大きいレイテンシをもたらし得る第２のリソースを割り当てることにより、上記第１のネットワーク機能の上記インスタンス化のために上記リソースを割り当てる、ようにさらに構成されてもよい。
【００８４】
割り当てられる上記リソースは、処理リソース、メモリリソース、及びネットワークインタフェースに関連するリソースのうちの少なくとも１つを含んでよい。
【００８５】
１つの実施形態において、ネットワークエレメント２８００は、第２のネットワーク機能が同期的か又は非同期的かに基づいて、上記第２のネットワーク機能のインスタンス化のためにもリソースを割り当てる、ように構成されてもよい。上記第１のネットワーク機能及び上記第２のネットワーク機能は、それぞれ異なるプロトコルレイヤに対応してもよい。上記第１のネットワーク機能及び上記第２のネットワーク機能は、共に、同期的機能グループあるいはＳＦＧへグループ化される同期的なネットワーク機能であってもよい。そして、上記ネットワークエレメントは、上記無線リンク上での送信及び受信についてのレイテンシが閾値を下回ることになるリソースを、上記同期的機能グループあるいはＳＦＧのために割り当てる、ようにさらに構成されてもよい。
【００８６】
実施形態において、ネットワークエレメント２８００は、第１のネットワーク機能のインスタンス化に関連する情報を送信する、ようにさらに構成されてもよい。当該情報は、割り当てられる上記リソースに関連付けられる上記ワイヤレス通信ネットワークの少なくとも１つのネットワークエンティティへ送信されてよい。
【００８７】
さらに、説明した実施形態のいずれにおいても、ネットワークエレメント２８００は、ネットワークイベントによりトリガされて、リソースを割り当てる、ように構成されてもよい。
【００８８】
１つの実施形態において、デュアルコネクティビティ動作のために第１の無線リンク及び第２の無線リンクが上記ワイヤレスデバイスとの通信のために使用される。上記第１のネットワーク機能は非同期的であって上記第１の無線リンク及び上記第２の無線リンクの双方に関連付けられる。そして、ネットワークエレメント２８００は、上記第１のネットワーク機能の動作が上記第１の無線リンクに関連付けられ且つ上記第１のネットワーク機能の動作が上記第２の無線リンクに関連付けられる際に少なくとも部分的に同じリソースを利用することができるように、上記第１のネットワーク機能の上記インスタンス化のためにリソースを割り当てる、ように構成されてもよい。
【００８９】
図２８ａに示したように、ネットワークエレメント２８００は、本発明の実施形態において、処理回路２８０１とメモリ２８０２とを備えてもよい。ネットワークエレメント２８００は、通信ネットワークの他のノードと通信するように構成される通信インタフェース２８０３、をも備えてもよい。メモリ２８０２は、処理回路２８０１により実行可能な命令を収容してよく、それにより、ネットワークエレメント２８００は、同期的なネットワーク機能と非同期的なネットワーク機能とを区別するように動作可能である。同期的なネットワーク機能及び非同期的なネットワーク機能は、ワイヤレスデバイスへの通信サービスの提供に関連付けられる。同期的なネットワーク機能は、ワイヤレスデバイスとの通信のために使用される無線リンクのタイミングに厳密に依存する処理タイミングに関する要件を有する。非同期的なネットワーク機能は、無線リンクのタイミングに厳密には依存しない処理タイミングに関する要件を有する。ネットワークエレメント２８００は、第１のネットワーク機能が同期的か又は非同期的かに基づいて、第１のネットワーク機能のインスタンス化のために、ワイヤレス通信ネットワークのリソースを割り当てる、ようにさらに動作可能であり得る。
【００９０】
図２８ａの実施形態を記述する代替的な手法が図２８ｂに示されており、ネットワークエレメント２８００は、同期的なネットワーク機能と非同期的なネットワーク機能とを区別する、ように適合される区別モジュール２８１０、を備え得る。同期的なネットワーク機能及び非同期的なネットワーク機能は、ワイヤレスデバイスへの通信サービスの提供に関連付けられる。同期的なネットワーク機能は、ワイヤレスデバイスとの通信のために使用される無線リンクのタイミングに厳密に依存する処理タイミングに関する要件を有する。非同期的なネットワーク機能は、無線リンクのタイミングに厳密には依存しない処理タイミングに関する要件を有する。ネットワークエレメント２８００は、第１のネットワーク機能が同期的か又は非同期的かに基づいて、第１のネットワーク機能のインスタンス化のために、ワイヤレス通信ネットワークのリソースを割り当てる、ように適合される割り当てモジュール２８２０、をも備え得る。
【００９１】
実施形態において、ネットワークエレメント２８００は、第１のネットワーク機能のインスタンス化に関連する情報を送信する、ように適合される送信モジュール、をも備えてよい。当該情報は、割り当てられるリソースに関連付けられる、ワイヤレス通信ネットワークの少なくとも１つのネットワークエンティティへ送信され得る。ネットワークエレメント２８００は、第１のネットワーク機能の特性、第１のネットワーク機能とさらなるネットワーク機能との間の関係性又は依存関係、ワイヤレス通信ネットワークのエンティティ内の利用可能なリソース、ワイヤレス通信ネットワークのエンティティ間の送信リソース、及び、ワイヤレスデバイス、のうちの少なくとも１つに関連する情報を取得する、ように適合される取得モジュール、をも備えてもよい。そして、割り当てモジュール２８２０は、取得される上記情報にも基づいてリソースを割り当てる、ように適合されてもよい。
【００９２】
上述したモジュールは、ハードウェア、ソフトウェア、ファームウェア又はそれらの任意の組み合わせで実装され得る機能ユニットである。１つの実施形態において、モジュールは、プロセッサ上で稼働するコンピュータプログラムとして実装される。
【００９３】
図２８ａの実施形態を記述するまた別の代替的な手法において、ネットワークエレメント２８００は、単一のユニット又は複数のユニットであり得るＣＰＵ（Central  Processing  Unit）を備え得る。その上、ネットワークエレメント２８００は、例えばＥＥＰＲＯＭ（Electrically  Erasable  Programmable  Read-Only  Memory）、フラッシュメモリ又はディスクドライブといった不揮発性メモリの形式のコンピュータ読取可能な媒体２８５２を伴う、少なくとも１つのコンピュータプログラムプロダクト（ＣＰＰ）２８５１を備え得る。ＣＰＰ２８５１は、コンピュータ読取可能な媒体２８５３に記憶されるコンピュータプログラム２８５０であって、ネットワークエレメント２８００のＣＰＵ上で実行された場合にネットワークエレメント２８００に図２７ａ〜図２７ｂに関連して前に説明した方法を実行させるコード手段を含む当該コンピュータプログラム２８５０、を含み得る。言い換えれば、上記コード手段は、ＣＰＵ上で実行される場合、図２８ａにおける処理回路２８０１に対応する。
【００９４】
［図２１〜図２６への参照と共に説明される方法及び装置の実施形態］
図２１は、ワイヤレス通信ネットワーク１０の一実施形態を示している。当該実施形態は、実際は１つよりも多くのネットワーク全体を含み、又は異なる無線アクセス技術あるいはＲＡＴであり得る、２つ以上の無線アクセスネットワーク（ＲＡＮ）１２を少なくとも含み得る。
【００９５】
図示した例において、ネットワーク１０は、さらに、コアネットワーク（ＣＮ）１４、及び恐らくは他のＣＮ２６を含む。例えば、基地局２０−１は、第１のＲＡＴに従ってセル２２−１へサービスし、ＣＮ１４へ通信可能に連結され、基地局２０−２は第２のＲＡＴに従ってセル２２−２へサービスし、ＣＮ２６へ連結される。
【００９６】
広く言うと、ネットワーク１０は、ワイヤレスデバイス（ＷＤ）１６（１つが便宜のために図示されている）を、インターネット又は他のパケットデータネットワークなどの１つ以上の外部ネットワーク１８へ通信可能に連結する。図は、議論を容易にするために簡略化されており、ネットワーク１０が図示したエンティティのいずれか１つ以上の追加的な例を含んでもよいこと及び図示されていない他のエンティティを含んでもよいことは理解されるであろう。例えば、ＣＮ１４は、モビリティ管理エンティティあるいはＭＭＥ、サービングゲートウェイあるいはＳＧＷ、パケットゲートウェイあるいはＰＧＷ、並びに、測位ノード、Ｏ＆Ｍ（Operations  &  Maintenance）ノードなどの１つ以上の他のノードを含んでもよい。例示的な実施形態におけるネットワーク１０は、ＬＴＥ標準に従って構成されるノードと、５Ｇ以降の世代のネットワーク標準に従って構成されるノードとを含む。あらためて言うと、これは、１つよりも多くの種類のＲＡＮ及び／又は対応するＣＮを有するものと見なされてよい。
【００９７】
当然ながら、例えばマルチキャリア動作のケースにおいて、所与の基地局２０は１つよりも多くのセル２２を提供してもよく、ここでの教示は図２１に描かれている基地局２０及びセル２２の構成に限定されない。例えば、セルサイズは、適応的であってもよく、又は不均一であってもよい。後者のケースにおいて、ネットワーク１０は、ヘテロジーニアスネットワークを含んでもよく、ヘテロジーニアスネットワークでは、“マクロ”セルという１つ以上の大規模なセルに、“マイクロ”、“ピコ”又は“フェムト”セルという１つ以上のより小さいセルが重畳される。それらより小さいセルは、低電力アクセスポイントによって提供され、より高いデータレートのサービスを提供するホットスポットして使用され、及び／又は、マクロセルにより提供されるサービスカバレッジを拡張し若しくは穴埋めするために使用され得る。いくつかのヘテロジーニアス配備において、マイクロセルは、マクロセルにより使用されものと同じ無線アクセス技術を使用し、例えば、ＬＴＥベースのマイクロセルがＬＴＥベースのマクロセルに重畳される。
【００９８】
ＷＤ１６は、異なるネットワークによりサポートされ又は異なるＲＡＴに従って動作する基地局を含む複数の基地局と通信し得る。例えば、ＷＤ１６は、同一の又は異なるＲＡＴに従って動作し得る基地局２０−１及び基地局２０−２と通信中である。ＷＤ１６はセル２２−１において基地局２０−１によりサービスされるように描かれているものの、ＷＤ１６は、基地局２０−２によってもサービスされてよい。セルの図は、例示の目的のためのものであって、ＷＤ１６についての機能性をハンドリングする複数の基地局の能力を限定しない。
【００９９】
いずれにしろ、図２１に関して、ＷＤ１６との無線リンクをサポートするために２つの基地局２０が使用されている又は使用されることになる例示的なケースを考慮されたい。ネットワークノード２４は、そうした各基地局へ、当該基地局において同期的機能をインスタンス化して無線リンクでの通信をサポートするためのシグナリングを送信し、それに応じて、基地局２０は、所要の処理リソースを割り当て、必要とされる同期的機能をインスタンス化する。さらに、図２１には明示的に示されていないものの、ネットワークノード２４は、上記無線リンク上でサポートされる通信に関連付けられる非同期的機能の処理を実行するために必要とされるタイプの処理リソースを有する、１つ以上の他のネットワークノード、他の基地局、ハブ、集中的処理ノードなどへ、シグナリングを送信する。
【０１００】
例えば、図２１は、１つの基地局２０−１がＷＤ１６へ無線リンクを提供する非限定的で例示的な実施形態を示している。基地局２０−１は、ＷＤ１６とネットワーク１０との間の通信に関連付けられる同期的機能をインスタンス化する、ように構成される。さらに、この例において、他の基地局２０−２は、それら通信をサポートするために必要とされる非同期的機能をインスタンス化する、ように構成される。同期的機能と非同期的機能とをリンクさせるための２つの基地局間の通信がそれらの間のリンク上で搬送されてもよい。
【０１０１】
機能の区別は、ネットワーク機能オーケストレータ（ＮＦＯ）としても言及され得るネットワークノード２４によって判定され及び調整される。当業者は、図２２が機能的な及び／又は物理的な回路配置を示していること、並びに、基地局２０−１、基地局２０−２、ネットワークノード２４、及びＷＤ１６が、構成データ、動作データ又はワーキングデータを記憶し、及びコンピュータプログラム命令を記憶するためのデジタル処理回路（及び関連付けられるメモリ又は他のコンピュータ読取可能な媒体）を通常は含むことになること、を理解するであろう。ここで想起される実施形態の少なくともいくつかにおいて、ネットワーク側及びデバイス側の機能性は、少なくとも部分的に、デジタル処理回路による記憶済みのコンピュータプログラム命令の実行に基づく、デジタル処理回路のプログラム的な構成を通じて実現される。
【０１０２】
上の例から、基地局２０−１が通信インタフェース４０、処理回路４２及び関連付けられるメモリ／ストレージ４４（例えば、揮発性のワーキングメモリと不揮発性の構成及びプログラムメモリ又はストレージとの混成といった、１つ以上の種類の非一時的なコンピュータ読取可能な媒体）を含むことが理解される。通信インタフェース４０は、基地局２０−１の性質に依存するが、概して、基地局２０−１により提供されるいずれか１つ以上のセル２２において任意の数のＷＤ１６と通信するための無線送受信機（例えば、無線送信回路、無線受信回路及び処理回路のプール）を含む。その例において、通信インタフェース４０は、例えばセルラー無線回路といった１つ以上の送信機及び受信機を、電力制御回路及び関連付けられる信号処理回路と共に含む。さらに、同じシナリオにおいて、通信インタフェース４０は、基地局間インタフェース、フロントホール及び／若しくはバックホール、又は他のＣＮ通信インタフェースを含んでもよい。
【０１０３】
処理回路４２は、例えば、ここで教示した通りのネットワーク側の処理を行うための、固定的な又はプログラミングされるデジタル処理回路を含む。１つの実施形態において、処理回路４２は、ここでの教示に従って構成される、１つ以上のマイクロプロセッサ、デジタル信号プロセッサ（ＤＳＰ）、ＡＳＩＣ、ＦＰＧＡなどを含む。メモリ／ストレージ４４は、例えばコンピュータプログラム４６及び／又は多様な構成データ４８のための永続的なストレージを提供するように構成される、ＦＬＡＳＨ若しくはＳＳＤ（Solid-State-Disk）などのワーキングメモリと不揮発性プログラムメモリとの混成、又は任意の他の種類のコンピュータ読取可能な媒体、を含んでよい。
【０１０４】
例示的な実施形態において、処理回路４２は、コンピュータプログラム４６を含むコンピュータプログラム命令の実行に基づき、少なくとも部分的にここでの教示に従って構成される。この点において、メモリ／ストレージ４４は、コンピュータプログラム４６のための非一時的なストレージを提供するコンピュータ読取可能な媒体を含むものとして理解されるであろう。基地局２０−２は、少なくともこの例では基地局２０−１において実装される同期的機能よりもむしろ非同期的機能を遂行するという意味においてそれが実装する機能的な処理は異なるものの、同様のコンポーネントを伴って構築されてよい。当然ながら、各基地局２０は、ある接続については同期的機能を提供し、他の接続については非同期的機能を提供してもよく、及び／又は、他のノード（例えば、固定的なネットワークノード）がここで想起される非同期的な処理を提供してもよい。
【０１０５】
ＷＤ１６の例に戻ると、ＷＤ１６は、セルラー無線電話（スマートフォン、フィーチャフォンなど）、タブレット若しくはラップトップコンピュータ、ネットワークアダプタ、カード、モデム若しくは他のそうしたインタフェースデバイス、又は、ネットワーク１０におけるワイヤレス通信のために構成される基本的なデバイス若しくは他の装置であってよい。３ＧＰＰの文脈では、ＷＤ１６は、ＵＥとして言及され、ネットワーク１０のエアインタフェースに従った動作のために構成される無線周波数受信機及び無線周波数送信機を含み得る送受信機回路４０などの通信インタフェースを含むものと理解されるであろう。
【０１０６】
ＷＤ１６は、さらに、メモリ／ストレージ３４を含み又はメモリ／ストレージ３４に関連付けられる処理回路３２を含む。メモリ／ストレージ３４は、例えば、揮発性のワーキングメモリと不揮発性の構成及びプログラムメモリ又は他のストレージとの混成といった、１つ以上の種類の非一時的なコンピュータ読取可能な媒体を含む。同様に、当業者は、送受信機回路３０がアナログ回路及びデジタル回路の混成を含んでもよいことを理解するであろう。例えば、１つ以上の実施形態における受信機は、アンテナで受信される１つ又は複数の信号に対応するデジタル信号サンプルの１つ以上のストリームを生成する受信フロントエンド回路（図２２には明示的に示されていない）を、デジタルサンプルに対して動作する１つ以上の受信処理回路−例えば、ベースバンドデジタル処理回路及び関連付けられるバッファメモリ−と共に含む。例示的な動作は、干渉抑圧をおそらくは伴う線形化又は他のチャネル補償、及び、送信された情報を復元するためのシンボル復調／検出及び復号を含む。
【０１０７】
転じて、処理回路３２は、例えば、送受信機回路３０を通じて受信され及び送信される受信（ＲＸ）信号及び送信（ＴＸ）信号のためのデジタルベースバンド処理を提供する。この点において、処理回路３２は、デジタル処理回路を含み、１つ以上のマイクロプロセッサ、ＤＳＰ、ＡＳＩＣ、ＦＰＧＡなどとして実装されてよい。より一般的には、処理回路３２は、固定的な又はプログラミングされる回路を用いて実装されてよい。例示的な実施形態において、メモリ／ストレージ３４は、非一時的な形でコンピュータプログラム３６を記憶するコンピュータ読取可能な媒体を含む。そうした実施形態において、処理回路３２は、少なくとも部分的に、コンピュータプログラム３６を含むコンピュータプログラム命令の実行に基づき、ここでの教示に従って構成される。
【０１０８】
ネットワークノード２４は、通信インタフェース５０、処理回路５２及び関連付けられるメモリ／ストレージ５４（例えば、揮発性のワーキングメモリと不揮発性の構成及びプログラムメモリ又はストレージとの混成といった、１つ以上の種類の非一時的なコンピュータ読取可能な媒体）を含む。通信インタフェース５０は、基地局との通信のため、基地局及び／又はＲＡＮ若しくはＣＮ内の若しくはネットワーク１０の外部の他のノードと共に同期的機能処理をインスタンス化するため、非同期的機能処理をインスタンス化するための通信インタフェースを含む。
【０１０９】
処理回路５２は、例えば、ここで教示した通りのネットワーク側の処理を行うための、固定的な又はプログラミングされるデジタル処理回路を含む。１つの実施形態において、処理回路５２は、ここでの教示に従って構成される、１つ以上のマイクロプロセッサ、デジタル信号プロセッサ（ＤＳＰ）、ＡＳＩＣ、ＦＰＧＡなどを含む。メモリ／ストレージ５４は、例えばコンピュータプログラム５６及び／又は多様な構成データ５８のための永続的なストレージを提供するように構成される、ＦＬＡＳＨ若しくはＳＳＤ（Solid-State-Disk）などのワーキングメモリと不揮発性プログラムメモリとの混成、又は任意の他の種類のコンピュータ読取可能な媒体、を含んでよい。
【０１１０】
例示的な実施形態において、処理回路５２は、コンピュータプログラム５６を含むコンピュータプログラム命令の実行に基づき、少なくとも部分的にここでの教示に従って構成される。この点において、メモリ／ストレージ５４は、コンピュータプログラム５６のための非一時的なストレージを提供するコンピュータ読取可能な媒体を含むものとして理解されるであろう。
【０１１１】
一例において、ネットワークノード２４は、例えば処理回路５２の構成を介して、ネットワーク１０において動作する例えばＷＤ１６といったワイヤレス通信装置への通信サービスの提供に関連付けられる同期的機能と非同期的機能とを区別する、ように構成される。ここで、“同期的機能”は、ワイヤレス通信装置との通信のために使用される１つ又は複数の無線リンクのタイミングに厳密に依存する処理タイミングを有し、“非同期的機能”は、当該１つ又は複数の無線リンクのタイミングに厳密には依存せず又は非依存の処理タイミングを有する。ネットワークノード２４は、１つ以上の無線リンクを提供する１つ以上の無線ノードに同期的機能のための処理リソースを割り当て、及び、１つ以上の非同期的処理ノードにおいて処理リソースを非同期的機能のために割り当てる、ように構成され得る。非同期的処理ノードは、無線リンクを提供するために使用されるノードと同一であってもよく、又は１つ以上の他のノードであってもよい。非同期的機能のために必要とされる処理リソースの割り当ては、そうした処理を遂行するための候補である１つ以上のノードのリソースの利用可能性を考慮する割り当て方式に依存して行われる。
【０１１２】
さらなる実施形態において、ネットワークノード２４は、ＵＥについての同期的機能のインスタンス化を基地局２０−１へシグナリングし、及び、ＵＥについての非同期的機能のインスタンス化を基地局２０−２へシグナリングする、ように構成される。
【０１１３】
他の実施形態において、ネットワークノード２４は、１つ以上の無線ノードへ、当該１つ以上の無線ノードとワイヤレス通信装置との間の無線リンクをサポートするための同期的機能処理をインスタンス化するためのシグナリングを送信し、及び、１つ以上のネットワークノードへ１つ以上の無線リンク上で行われる通信をサポートする非同期的機能処理をインスタンス化するためのシグナリングを送信する、ように構成される。いくつかのケースにおいて、２つ以上の無線アクセス技術（ＲＡＴ）に対応する２つ以上の無線リンクが存在する。上記同期的機能は、判定される時間ウィンドウに関して時間的に敏感な（time  sensitive）機能であり得る。
【０１１４】
一例において、ＲＬＣ、ＭＡＣ及びＰＨＹ機能がＳＦＣに関連付けられてもよく、ＲＲＣ及びＰＤＣＰが非ＳＦＧ（aSFG）に関連付けられてもよい。
【０１１５】
一例において、ネットワークノード２４は、ＵＥについてのあるネットワークレイヤの機能をインスタンス化する基地局又は無線ノードからは別個の若しくは遠隔の基地局上で、当該ＵＥについての他のネットワークレイヤの機能をインスタンス化する。
【０１１６】
一例において、ネットワークノード２４は、基地局の状態情報及び機能要件を含むネットワーク情報を上記区別のために取得する。他の例において、ネットワークノード２４は、ＵＥにより近い基地局へ、同期的機能を提供するようにシグナリングする。ネットワークノード２４は、無線ノードがある基準のセットを満たすことに応じて、ＵＥについての同期的機能のための第１の基地局を判定する、ように構成されてもよい。ＵＥは、デュアル制御プレーンコネクティビティを実行する、ように構成されてもよい。
【０１１７】
一例において、ネットワークノード２４は、統合されるマルチＲＡＴアーキテクチャにおいて、どの機能性がＲＡＴ固有であり又はＲＡＴ共通であるべきか、及び、複数の基地局及び無線ノードの間でそれら機能をいかに割り当てるべきかを判定する。
【０１１８】
図２３は、ワイヤレス通信装置との通信をサポートするための、ワイヤレス通信ネットワークにおけるリソース割り当ての方法２３００の例示的な実施形態を示している。理解されるであろうこととして、図２３に示した処理は、ネットワークノード２４について図２２に示したような、記憶済みのコンピュータプログラム命令の実行に基づいて、少なくとも部分的にプログラム的な構成を介して実装されてよい。また理解されるであろうこととして、図２３は何らかの処理順序が必須であるように示唆するものではなく、図示された方法のステップのうちの１つ以上が図とは異なる順序で実行されてもよい。さらに、方法２３００又はそこに包含されるステップは、並列的に実行されてもよく、反復され、さもなければ周期的に若しくはトリガに基づいてループされてもよく、及び／又は、例えば持続的な若しくはバックグラウンドの処理の一部として、持続的な形で実行されてもよい。
【０１１９】
方法２３００は、ワイヤレス通信装置への通信サービスの提供に関連付けられる、上記ワイヤレス通信装置との通信のために使用される１つ以上の無線リンクのタイミングに厳密に依存する処理タイミングを有する同期的機能と、上記１つ以上の無線リンクの上記タイミングに厳密には依存せず又は非依存の処理タイミングを有する非同期的機能とを区別すること（ブロック２３０２）、を含む。また、上記方法は、上記１つ以上の無線リンクを提供する１つ以上の無線ノードに上記同期的機能のための処理リソースを割り当てること（２３０４）、を含む。上記方法は、さらに、そうした割り当てのための候補である１つ以上の非同期的処理ノードに非同期的機能のための処理リソースを割り当てること（２３０６）、を含む。そのノード（又はそれらノード）は、上記同期的機能がインスタンス化される基地局とは相違してもよい。
【０１２０】
他の例示的な方法は、ＵＥについての同期的機能のために少なくとも１つの基地局を、上記ＵＥについての非同期的機能のために少なくとも１つの他の基地局又は他の無線ノードを決定すること、を含む。また、上記方法は、上記ＵＥについての上記同期的機能のインスタンス化のために上記少なくとも１つの基地局へシグナリングすることと、上記ＵＥについての上記非同期的機能のインスタンス化のために上記少なくとも１つの他の基地局又は無線ノードへシグナリングすることと、を含む。
【０１２１】
図２４は、ストレージメモリ５４内に記憶されるコンピュータプログラム５６に含まれるコンピュータプログラム命令を処理回路５２が実行することに基づく、ネットワークノード２４において実装され得るような例示的な機能モジュール又は回路のアーキテクチャを示している。図示した実施形態は、ワイヤレス通信装置への通信サービスの提供に関連付けられる、上記ワイヤレス通信装置との通信のために使用される１つ以上の無線リンクのタイミングに厳密に依存する処理タイミングを有する同期的機能と、上記１つ以上の無線リンクの上記タイミングに厳密には依存せず又は非依存の処理タイミングを有する非同期的機能とを区別する、ように構成される区別モジュール２４０２、を含む。上記実施形態は、上記１つ以上の無線リンクを提供する１つ以上の無線ノードに上記同期的機能のための処理リソースを割り当てる、ように構成される割り当てモジュール２４０４、をも含む。上記実施形態は、上記１つ以上の無線リンクを提供する上記１つ以上の無線ノードとは相違してもよい少なくとも１つのノードを含む複数のノードのうちの１つ以上のノードに、複数のノードのリソース利用可能性を考慮する割り当て方式に依存して、上記非同期的機能のための処理リソースを割り当てる、ように構成される割り当てモジュール２４０６、をさらに含む。信号は、通信インタフェース５０を通じて通信される。
【０１２２】
図２２は、基地局２０−１の機能インスタンス化回路７２をも示している。機能インスタンス化回路７２は、ＵＥについての分離機能性をハンドリングするための方法を実装するためのコンピュータプログラム４６を実行する処理回路４２を含み、又はその処理回路４２の一部であり得る。その機能性は、複数の基地局にわたって分離されてもよく、及び／又は複数のＲＡＴにわたって分離されてもよい。インスタンス化回路７２のさらなる動作が以下に説明される。
【０１２３】
一例において、基地局２０−１は、ＵＥについて要求される機能性を示す信号の受信に応じて、当該ＵＥについて同期的機能又は非同期的機能をインスタンス化する、ように構成される。
【０１２４】
他の実施形態において、基地局２０−１は、予め構成されるイベントの検出に応じて、ＵＥについての非同期的機能をインスタンス化する、ように構成される。基地局２０−１は、ＵＥについての非同期的機能をハンドリングするように構成され、及び、当該ＵＥについての同期的機能を各々ハンドリングする２つの別個の基地局へ接続される。また、基地局２０−１は、ＵＥについて要求される機能性を示す信号の受信に応じて、当該ＵＥについての同期的機能をインスタンス化し、当該ＵＥについての非同期的機能をハンドリングする他の基地局と通信する、ように構成されてもよい。
【０１２５】
図２５は、分離機能性をハンドリングする方法２５００の例示的な実施形態を示している。理解されるであろうこととして、図２５に示した処理は、基地局２０−１について図２２に示したような、例えば処理回路４２による記憶済みのコンピュータプログラム４６の実行によって、記憶済みのコンピュータプログラム命令の実行に基づき、少なくとも部分的にプログラム的な構成を介して実装されてもよい。また、図２５は何らかの処理順序が必須であるように示唆するものではなく、図示された方法のステップのうちの１つ以上が図とは異なる順序で実行されてもよい。さらに、方法２５００又はそこに包含されるステップは、並列的に実行されてもよく、反復され、さもなければ周期的に若しくはトリガに基づいてループされてもよく、及び／又は、例えば持続的な若しくはバックグラウンドの処理の一部として、持続的な形で実行されてもよい。
【０１２６】
方法２５００は、ワイヤレス通信装置についての同期的機能の個別のインスタンス化を要求する割り当て信号を受信すること２５０２、を含む。また、上記方法は、基地局に割り当てられた処理リソースにおいて同期的機能をインスタンス化すること２５０４と、無線リンクを介して提供される通信サービスに関連付けられる非同期的機能をハンドリングしている１つ以上の他のノードと通信すること２５０６と、を含む。
【０１２７】
図２６は、ストレージメモリ４４内に記憶されるコンピュータプログラム４６に含まれるコンピュータプログラム命令を処理回路４２が実行することに基づく、基地局２０−１において実装され得るような例示的な機能モジュール又は回路のアーキテクチャを示している。図示した実施形態は、ワイヤレス通信装置についての同期的機能の個別のインスタンス化を要求する割り当てシグナリングを受信する、ように構成される受信モジュール２６０２、を含む。また、上記実施形態は、上記基地局に割り当てられた処理リソースにおいて同期的機能をインスタンス化する、ように構成されるインスタンス化モジュール２６０４、を含む。また、上記実施形態は、無線リンクを介して提供される通信サービスに関連付けられる非同期的機能をハンドリングする１つ以上の他のノードと通信する、ように構成される通信モジュール２６０６、を含む。信号は、通信インタフェース４０及びアンテナ９２を通じて通信される。
【０１２８】
図２２は、（便宜的に“ＵＥ”として言及される）ＷＤ１６の機能性回路８２をも示している。機能性回路８２は、ＵＥについての分離機能性をハンドリングするための方法を実装するためのコンピュータプログラム３６を実行する処理回路３２を含み、又はその処理回路３２の一部であり得る。その機能性は、複数の基地局にわたって分離されてもよく、及び／又は複数のＲＡＴにわたって分離されてもよい。
【０１２９】
とりわけ、上の説明及び関連付けられる図面において提示した教示の利益を有する、開示された発明の修正例及び他の実施形態が、当業者により考え付くであろう。従って、本発明を開示された具体的な実施形態に限定することはできないこと、並びに、修正例及び他の実施形態はこの開示のスコープの範囲内に含まれるものと意図されることが理解されるべきである。具体的な用語がここで採用されているかもしれないが、それらは一般的かつ説明的な意味でのみ使用されており、限定を目的とはしていない。
【０１３０】
［非限定的な例としての実施形態のリスト］
（１）
ワイヤレス通信装置との通信をサポートするための、ワイヤレス通信ネットワークにおけるリソース割り当ての方法であって、
前記ワイヤレス通信装置への通信サービスの提供に関連付けられる、前記ワイヤレス通信装置との通信のために使用される１つ以上の無線リンクのタイミングに厳密に依存する処理タイミングを有する同期的機能と、前記１つ以上の無線リンクの前記タイミングに厳密には依存せず又は非依存の処理タイミングを有する非同期的機能とを区別することと、
前記１つ以上の無線リンクを提供する１つ以上の無線ノードに前記同期的機能のための処理リソースを割り当てることと、
前記１つ以上の無線リンクを提供する前記１つ以上の無線ノードとは相違してもよい、非同期的処理のための候補である１つ以上の非同期的処理ノードに、リソース利用可能性を考慮する割り当て方式に依存して、前記非同期的機能のための処理リソースを割り当てることと、
を含む方法。
（２）
前記ワイヤレス通信装置は、デュアルコネクティビティ動作のための１つよりも多くの無線リンクを有し又は当該無線リンクを割り当てられ、前記方法は、
前記１つよりも多くの無線リンクを提供する前記無線ノードに、前記１つよりも多くの無線リンクの各々に関連付けられる前記同期的機能のための前記処理リソースを割り当てることと、
共通ノードにおいて、前記１つ以上の無線リンクの全てに関連付けられる前記非同期的機能のための前記処理リソースを割り当てることと、を含む、実施形態（１）の方法。
（３）
ユーザプレーン及び制御プレーンの双方に関して、前記共通ノードにおける前記ワイヤレス通信装置へのデュアルコネクティビティ接続のための共通制御ポイントを定義すること、をさらに含む、実施形態（２）の方法。
（４）
ワイヤレス通信装置についてのワイヤレス通信の機能性を分離するための、ネットワークノードにおける方法であって、
１つ以上の無線ノードへ、前記１つ以上の無線ノードと前記ワイヤレス通信装置との間の無線リンクをサポートするための同期的機能処理をインスタンス化するためのシグナリングを送信することと、
１つ以上のネットワークノードへ、前記１つ以上の無線リンク上で行われる通信をサポートする非同期的機能処理をインスタンス化するためのシグナリングを送信することと、
を含む方法。
（５）
前記同期的機能は、判定される時間ウィンドウに関して時間的に敏感な、実施形態（４）の方法。
（６）
２つ以上の無線アクセス技術（ＲＡＴ）に対応する２つ以上の無線リンクが存在する、実施形態（４）の方法。
（７）
判定することは、前記ワイヤレス通信装置についての１つのネットワークレイヤの機能が前記１つ以上の無線ノード上でインスタンス化されるべきであること、及び、前記ワイヤレス通信装置についての他のネットワークレイヤの機能が前記１つ以上のネットワークノード上でインスタンス化されるべきであること、を判定することを含む、実施形態（４）の方法。
（１０）
無線ノードの状態情報及び前記ワイヤレス通信装置の機能要件を含むネットワーク情報を取得すること、をさらに含み、シグナリングの前記送信は、前記ネットワーク情報に基づく、実施形態１の方法。
（１１）
前記ワイヤレス通信装置により近い無線ノードが同期的機能をハンドリングすべきであると判定すること、をさらに含む、実施形態（１）の方法。
（１３）
前記ワイヤレス通信装置は、デュアル制御プレーンコネクティビティを実行する、ように構成される、実施形態（１）の方法。
（１４）
ＲＬＣ、ＭＡＣ及びＰＨＹ機能がＳＦＧを形成し、ＲＲＣ及びＰＤＣＰがＳＦＧを形成する、実施形態（１）の方法。
（１７）
前記１つ以上の無線ノードの時間ドメイン構造に関連付けられる判定される時間ウィンドウ内で、状態情報に基づいて、同期的機能を同期的ペアへと編成すること、をさらに含む、実施形態（１）の方法。
（１８）
統合されるマルチＲＡＴアーキテクチャにおいて、どの機能性がＲＡＴ固有であり又はＲＡＴ共通であるべきかを判定することと、
前記１つ以上の無線ノードと１つ以上のネットワークノードとの間でそれら機能をいかに割り当てるべきかを判定することと、
をさらに含む、実施形態（１）の方法。
（１９）
ワイヤレス通信装置との無線リンクをサポートするリソース機能のインスタンス化のために割り当て可能な処理リソースを有する基地局における方法であって、
ワイヤレス通信装置についての同期的機能の個別のインスタンス化を要求する割り当てシグナリングを受信することと、
前記基地局に割り当てられる処理リソースにおいて前記同期的機能をインスタンス化することと、
前記無線リンクを介して提供される通信サービスに関連付けられる非同期的機能をハンドリングする１つ以上の他のノードと通信することと、
を含む方法。
（２１）
前記ワイヤレス通信装置についての非同期的機能をハンドリングすることと、
前記ワイヤレス通信装置についての同期的機能を各々ハンドリングする２つの別個の基地局と通信することと、
をさらに含む、実施形態（１９）の方法。
【図１】
2018504030.tif 000003
【図２】
2018504030.tif 000004
【図３】
2018504030.tif 000005
【図４】
2018504030.tif 000006
【図５】
2018504030.tif 000007
【図６】
2018504030.tif 000008
【図７】
2018504030.tif 000009
【図８ａ】
2018504030.tif 000010
【図８ｂ】
2018504030.tif 000011
【図９】
2018504030.tif 000012
【図１０】
2018504030.tif 000013
【図１１】
2018504030.tif 000014
【図１２】
2018504030.tif 000015
【図１３】
2018504030.tif 000016
【図１４】
2018504030.tif 000017
【図１５】
2018504030.tif 000018
【図１６】
2018504030.tif 000019
【図１７ａ】
2018504030.tif 000020
【図１７ｂ】
2018504030.tif 000021
【図１８】
2018504030.tif 000022
【図１９】
2018504030.tif 000023
【図２０】
2018504030.tif 000024
【図２１】
2018504030.tif 000025
【図２２】
2018504030.tif 000026
【図２３】
2018504030.tif 000027
【図２４】
2018504030.tif 000028
【図２５】
2018504030.tif 000029
【図２６】
2018504030.tif 000030
【図２７ａ】
2018504030.tif 000031
【図２７ｂ】
2018504030.tif 000032
【図２８ａ】
2018504030.tif 000033
【図２８ｂ】
2018504030.tif 000034
【国際調査報告】
2018504030.tif 000035
2018504030.tif 000036
2018504030.tif 000037